(57)【要約】  本発明の携帯型電子情報端末機は、折りたたむことが可能な装置本体と、被写体光を取り込む入射面を備えた撮像ユニットと、撮像ユニットの入射面の近傍に設けられた嵌合部と、装置本体が折りたたまれたときに、折りたたまれた状態を保持する保持部と、装置本体が折りたたまれたときに嵌合部と嵌合させることで、装置本体が折りたたまれた状態を保持し且つ撮像ユニットの入射面を被覆する、装置本体に設けられた留め具と、を備えたことを特徴とする。
2013073197.tif 000002
【特許請求の範囲】
【請求項１】
折りたたむことが可能な装置本体と、
被写体光を取り込む入射面を備えた撮像ユニットと、
前記撮像ユニットの前記入射面の近傍に設けられた嵌合部と、
前記装置本体が折りたたまれたときに、折りたたまれた状態を保持する保持部と、
前記装置本体が折りたたまれたときに前記嵌合部と嵌合させることで、前記装置本体が折りたたまれた状態を保持し且つ前記撮像ユニットの前記入射面を被覆する、前記装置本体に設けられた留め具と、
を備えたことを特徴とする携帯型電子情報端末機。
【請求項２】
請求項１に記載の携帯型電子情報端末機において、
画像を表示するとともに、処理内容が異なる複数の機能を実行するために前記複数の機能のそれぞれに対応する入力操作が行われる表示部を更に備えたことを特徴とする携帯型情報端末機。
【請求項３】
請求項２に記載の携帯型電子情報端末機において、
前記表示部は、前記複数の機能をタブ表示により表示することが可能であり、
前記撮像ユニットは、前記タブ表示の切り替えにより起動、又は起動終了することを特徴とする携帯型電子情報端末機。
【請求項４】
請求項２又は請求項３に記載の携帯型電子情報端末機において、
前記表示部は、少なくとも２以上の表示装置と、前記少なくとも２以上の表示装置のそれぞれに対応したタッチパネルとを備え、
前記少なくとも２以上の表示装置のそれぞれに対応した前記タッチパネルは、前記表示装置毎に入力操作を検知する方式が異なるタッチパネルが用いられることを特徴とする携帯型電子情報端末機。
【請求項５】
請求項２から請求項４のいずれか１項に記載の携帯型電子情報端末機において、
前記入力操作は、該入力操作に基づいて実行される機能を切り替える切り替えスイッチを有する入力操作部により実行されることを特徴とする携帯型電子情報端末機。
【請求項６】
請求項５に記載の携帯型電子情報端末機において、
前記装置本体の姿勢を検出する姿勢検出手段と、
前記入力操作における前記入力操作部の傾きを検出する傾き検出手段と、
を備え、
前記姿勢検出手段又は前記傾き検出手段による検出結果に基づいて、前記少なくとも２以上の表示装置に表示される表示内容を変更することを特徴とする携帯型電子情報端末機。
【請求項７】
請求項２から請求項６のいずれか１項に記載の携帯型電子情報端末機において、
前記撮像ユニットおよび前記保持部は、前記装置本体が折りたたまれた状態において外側となる面に設けられ、
前記表示部の表示面は、前記装置本体が折りたたまれた状態において内側となる面に設けられることを特徴とする携帯型電子情報端末機。
【請求項８】
被写体光を取り込むことで第１画像を取得する撮像部と、
前記撮像部により取得された前記第１画像を表示する表示装置と、
前記表示装置の表示面に設けられ、入力操作の位置を検知する位置検知部と、
前記位置検知部により検知される前記入力操作の位置が前記表示面に沿った二次元移動により変化したことを受けて、前記撮像部を駆動制御して前記第１画像とは異なる第２画像を取得する撮像制御部と、
を備えたことを特徴とする撮像装置。
【請求項９】
請求項８に記載の撮像装置において、
前記撮像制御部は、前記二次元移動により変化する前記入力操作の位置の検知が終了したことを受けて、前記撮像部を駆動制御する
ことを特徴とする撮像装置。
【請求項１０】
請求項８又は請求項９に記載の撮像装置において、
前記二次元移動は、直線移動であり、
前記撮像制御部は、前記直線移動の開始位置と該直線移動の終了位置とを結ぶ直線を対角線とした矩形領域を撮像範囲として前記第２画像を取得する
ことを特徴とする撮像装置。
【請求項１１】
請求項１０に記載の撮像装置において、
前記直線移動の終了位置は、前記位置検知部による前記入力操作の検知が終了した位置、又は前記位置検知部による前記入力操作が同一位置で一定時間継続して検知される位置のいずれか一方であることを特徴とする撮像装置。
【請求項１２】
請求項８又は請求項９に記載の撮像装置において、
前記二次元移動は、曲線移動であり、
前記撮像制御部は、前記曲線移動の開始位置から前記曲線移動の終了位置を結ぶ曲線軌跡に内接される、又は該曲線軌跡に外接される矩形領域のいずれか一方を撮像範囲として前記第２画像を取得する
ことを特徴とする撮像装置。
【請求項１３】
請求項１２に記載の撮像装置において、
前記曲線移動の終了位置は、前記位置検知部による前記入力操作の検知が終了した位置、又は前記位置検知部による前記入力操作が同一位置で一定時間継続して検知される位置のいずれか一方であることを特徴とする撮像装置。
【請求項１４】
請求項１２又は請求項１３に記載の撮像装置において、
前記曲線移動の終了位置は、前記入力操作の検知が開始された位置、又はその近傍の位置であることを特徴とする撮像装置。
【請求項１５】
請求項８から請求項１４のいずれか１項に記載の撮像装置において、
前記表示装置に表示される前記第１画像から前記入力操作に基づく位置及びその近傍領域における画像情報を取得し、該画像情報から前記第２画像に対する画像処理時に用いる処理条件、又は前記撮像部における撮影条件を決定する条件決定部をさらに備えたことを特徴とする撮像装置。
【請求項１６】
請求項８から請求項１５のいずれか１項に記載の撮像装置において、
前記表示装置は、前記第２画像を表示することが可能であり、
前記表示装置により前記第２画像を表示したときに、前記位置検知部により前記二次元移動に基づく入力操作が検知された場合に、前記入力操作に基づく範囲を第３画像として切り出す画像切出部と、
前記画像切出部により切り出された前記第３画像を記録する記録部と、
をさらに備えたことを特徴とする撮像装置。
【請求項１７】
被写体光を取り込むことで第１画像を取得する第1撮像工程と、
前記第1撮像工程により取得された前記第１画像を表示する表示工程と、
前記第１画像が表示される表示面に対する入力操作の位置を検知する位置検知工程と、
前記位置検知工程により検知される前記入力操作の位置が前記表示面に沿った二次元移動により変化したことを受けて、前記第１画像とは異なる第２画像を取得する第２撮像工程と、
をコンピュータに実行させることが可能な撮像制御プログラム。
【発明の詳細な説明】
【技術分野】
【０００１】
本発明は、携帯型電子情報端末機、撮像装置及び撮像制御プログラムに関する。
【背景技術】
【０００２】
現在、携帯電話機やタブレット端末機などの携帯型電子情報端末機が種々提供されている。このような携帯型電子情報端末機の中には、端末機に設けられた少なくとも１以上の表示部が内側となるように折りたたむ、所謂、折りたたみ構造の携帯型電子情報端末機が提供されている。このような折りたたみ構造の携帯型電子情報端末機の中には、表示部（表示画面）を２つ備え、例えば一方の表示画面で動画再生を行い、他方の表示画面でメールを作成することができるなど、複数の機能を同時に行うことができるものも提案されている（特許文献１参照）。
【先行技術文献】
【特許文献】
【０００３】
【特許文献１】特開２００７−１０９２４０号公報
【発明の概要】
【発明が解決しようとする課題】
【０００４】
しかしながら、折りたたみ構造の携帯型電子情報端末機の場合、爪やばねなどを利用した折りたたみ構造を用いていることから、ユーザが持ち運ぶ際に、意図せず折りたたんだ状態が解除されてしまうという欠点がある。また、折りたたみ構造でカメラ機能を備えた情報記憶端末機の場合、内蔵されるカメラユニットを構成するレンズがむきだしとなる場合が多く、むきだしとなるレンズ面に細かな傷がつく、或いはレンズ面に粉塵が付着してしまうという欠点がある。【０００５】
本発明は、折りたたみ構造でカメラ機能を備えた場合であっても、折りたたんだ状態がユーザの意図に反して解除されてしまうことを防止し、且つ内蔵されるカメラユニットのレンズ面に細かな傷がついたり、粉塵が付着することを防止することができるようにした携帯型電子情報端末機を提供することを目的とする。
【課題を解決するための手段】
【０００６】
上述した課題を解決するために、本発明の携帯型電子情報端末機は、折りたたむことが可能な装置本体と、被写体光を取り込む入射面を備えた撮像ユニットと、前記撮像ユニットの前記入射面の近傍に設けられた嵌合部と、前記装置本体が折りたたまれたときに、折りたたまれた状態を保持する保持部と、前記装置本体が折りたたまれたときに前記嵌合部と嵌合させることで、前記装置本体が折りたたまれた状態を保持し且つ前記撮像ユニットの前記入射面を被覆する、前記装置本体に設けられた留め具と、を備えたことを特徴とする。【０００７】
また、画像を表示するとともに、処理内容が異なる複数の機能を実行するために前記複数の機能のそれぞれに対応する入力操作が行われる表示部を更に備えたものである。【０００８】
この場合、前記表示部は、前記複数の機能をタブ表示により表示することが可能であり、前記撮像ユニットは、前記タブ表示の切り替えにより起動、又は起動終了するものである。【０００９】
また、前記表示部は、少なくとも２以上の表示装置と、前記少なくとも２以上の表示装置のそれぞれに対応したタッチパネルとを備え、前記少なくとも２以上の表示装置のそれぞれに対応した前記タッチパネルは、前記表示装置毎に入力操作を検知する方式が異なるタッチパネルが用いられることが好ましい。【００１０】
また、前記入力操作は、該入力操作に基づいて実行される機能を切り替える切り替えスイッチを有する入力操作部により実行されるものである。【００１１】
この場合、前記装置本体の姿勢を検出する姿勢検出手段と、前記入力操作における前記入力操作部の傾きを検出する傾き検出手段と、を備え、前記姿勢検出手段又は前記傾き検出手段による検出結果に基づいて、前記少なくとも２以上の表示装置に表示される表示内容を変更するものである。【００１２】
また、前記撮像ユニットおよび前記保持部は、前記装置本体が折りたたまれた状態において外側となる面に設けられ、前記表示部の表示面は、前記装置本体が折りたたまれた状態において内側となる面に設けられるものである。【００１３】
また、本発明の撮像装置は、被写体光を取り込むことで第１画像を取得する撮像部と、前記撮像部により取得された前記第１画像を表示する表示装置と、前記表示装置の表示面に設けられ、入力操作の位置を検知する位置検知部と、前記位置検知部により検知される前記入力操作の位置が前記表示面に沿った二次元移動により変化したことを受けて、前記撮像部を駆動制御して前記第１画像とは異なる第２画像を取得する撮像制御部と、を備えたことを特徴とする。【００１４】
また、前記撮像制御部は、前記二次元移動により変化する前記入力操作の位置の検知が終了したことを受けて、前記撮像部を駆動制御するものである。【００１５】
また、前記二次元移動は、直線移動であり、前記撮像制御部は、前記直線移動の開始位置と該直線移動の終了位置とを結ぶ直線を対角線とした矩形領域を撮像範囲として前記第２画像を取得するものである。【００１６】
この場合、前記直線移動の終了位置は、前記位置検知部による前記入力操作の検知が終了した位置、又は前記位置検知部による前記入力操作が同一位置で一定時間継続して検知される位置のいずれか一方であることが好ましい。【００１７】
また、前記二次元移動は、曲線移動であり、前記撮像制御部は、前記曲線移動の開始位置から前記曲線移動の終了位置を結ぶ曲線軌跡に内接される、又は該曲線軌跡に外接される矩形領域のいずれか一方を撮像範囲として前記第２画像を取得するものである。【００１８】
この場合、前記曲線移動の終了位置は、前記位置検知部による前記入力操作の検知が終了した位置、又は前記位置検知部による前記入力操作が同一位置で一定時間継続して検知される位置のいずれか一方であることが好ましい。【００１９】
また、前記曲線移動の終了位置は、前記入力操作の検知が開始された位置、又はその近傍の位置であることが好ましい。【００２０】
また、前記表示装置に表示される前記第１画像から前記入力操作に基づく位置及びその近傍領域における画像情報を取得し、該画像情報から前記第２画像に対する画像処理時に用いる処理条件、又は前記撮像部における撮影条件を決定する条件決定部をさらに備えるものである。【００２１】
また、前記表示装置は、前記第２画像を表示することが可能であり、前記表示装置により前記第２画像を表示したときに、前記位置検知部により前記二次元移動に基づく入力操作が検知された場合に、前記入力操作に基づく範囲を第３画像として切り出す画像切出部と、前記画像切出部により切り出された前記第３画像を記録する記録部と、をさらに備えていることが好ましい。  また、本発明の撮像制御プログラムは、被写体光を取り込むことで第１画像を取得する第1撮像工程と、前記第１撮像工程により取得された前記第１画像を表示する表示工程と、前記第１画像が表示される表示面に対する入力操作の位置を検知する位置検知工程と、前記位置検知工程により検知される前記入力操作の位置が前記表示面に沿った二次元移動により変化したことを受けて、前記第１画像とは異なる第２画像を取得する第２撮像工程と、をコンピュータに実行させることが可能なものである。
【図面の簡単な説明】
【００２２】
【図１】本発明の携帯型電子情報端末機の第２状態における外観を示す斜視図である。
【図２】携帯型電子情報端末機において、留め具を外したときの外観を示す斜視図である。
【図３】携帯型電子情報端末機の第１状態における外観を示す斜視図である。
【図４】スナップボタン方式の留め具の雌部材と雄部材との一例を示す斜視図である。
【図５】（ａ）は嵌合させる前の雌部材と雄部材とを示す一部断面図、（ｂ）は雌部材と雄部材とを嵌合させた状態を示す一部断面図である。
【図６】（ａ）はスライド式の切替スイッチを備えた電子ペンの斜視図、（ｂ）は回転式の切替スイッチを備えた電子ペンの斜視図である。
【図７】携帯型電子情報端末機の電気的構成を示す機能ブロック図である。
【図８】携帯型電子情報端末機における表示形態の一例を占めす説明図である。
【図９】図３に示す基本姿勢から、ｚ方向を回転中心として１８０度回転させたときの携帯型電子情報端末機の姿勢を示す斜視図である。
【図１０】電子ペンを用いた入力操作を示す斜視図である。
【図１１】（ａ）はライブラリ画面に表示される画像を電子ペンを用いて選択する場合を示す斜視図、（ｂ）は選択された画像を電子ペンを用いて第２表示部から第１表示部に移動させたときの移動軌跡を示す斜視図である。
【図１２】（ａ）はトリミング処理時の電子ペンの移動軌跡とトリミング範囲を示す図、（ｂ）はトリミング処理後の画像を示す図である。
【図１３】第２表示部に表示されるライブラリ画面にシール画像一覧画面が表示された場合の一例を示す図である。
【図１４】シール画像を選択したときに、シール画像の周縁部の一部がめくり上がった状態を示す図である。
【図１５】選択されたシール画像を第２表示部のシール画像一覧画面から、第１表示部の編集画面に移動させた場合の図である。
【図１６】（ａ）は選択されたシール画像を停止させる場合を示す図、（ｂ）は移動停止させたシール画像を他の画像に貼り付ける場合を示す図である。
【図１７】撮影時の被写体と、携帯型電子情報端末機との位置関係の一例を示す図である。
【図１８】（ａ）撮影時に電子ペンを第１表示部に当接させた状態、（ｂ）撮影時に電子ペンを直線移動させて撮像範囲を指定した状態を示す図である。
【図１９】電子ペンの直線移動にあわせて色情報を取得した後、撮像処理を行う際の流れを示すフローチャートである。
【図２０】電子ペンを直線移動させたときの撮像範囲と、色情報を取得する範囲とを示す図である。
【図２１】電子ペンの直線移動にあわせてコントラスト情報を取得した後、撮像処理を行う際の流れを示すフローチャートである。
【図２２】撮影時に電子ペンを曲線移動させて撮像範囲を指定した状態を示す図である。
【図２３】電子ペンを用いた入力操作の移動軌跡が楕円形状の軌跡となる場合の撮像処理の流れを説明するフローチャートである。
【図２４】（ａ）はマグネット方式の留め具において雌部材と雄部材とを嵌合させる前の留め具を示す一部断面図、（ｂ）は雌部材と雄部材とを嵌合させた状態の留め具を示す一部断面図である。
【発明を実施するための形態】
【００２３】
以下、本発明の携帯型電子情報端末機について説明する。
【００２４】
図１〜図３に示すように、本発明の携帯型電子情報端末機１０は、ベルト付きのシステム手帳を模した外観からなる。この携帯型電子情報端末機１０は、装置本体１５、ベルト１６及びペンホルダ１７から構成される。
【００２５】
装置本体１５は、第１筐体２０、第２筐体２１及びヒンジ部２２とから構成される。装置本体１５は、２つに折りたたまれた状態で保持することができる。また、装置本体１５は、折りたたまれた装置本体１５の第１筐体２０、又は第２筐体２１の少なくともいずれか一方を他方の筐体に対して相対的に回転させることで、装置本体１５を広げた状態にすることができる。
【００２６】
ここで、２つ折りの折りたたみ構造からなる携帯型電子情報端末機１０を例示しているが、これに限定される必要はなく、３つ折り以上の折りたたみ構造からなる携帯型電子情報端末機であってもよい。また、折りたたみ構造からなる携帯型電子情報端末機の他に、複数の筐体から構成され、複数の筐体のそれぞれを相対的にスライドさせることが可能なスライド構造からなる携帯型電子情報端末機であっても本発明を達成することができる。
【００２７】
以下、装置本体１５が２つに折りたたまれた状態を第２状態とし、筐体本体１５が広げられた状態を第１状態と称して説明する。ここで、携帯型電子情報端末機１０が第２状態となる場合、後述する第１表示部２５及び第２表示部２８は、それぞれ対面された状態で収納される。
【００２８】
第１筐体２０は、面２０ａに第１表示部２５を備えている。この第１筐体２０は、面２０ａとは反対側の面２０ｂに、後述する撮像ユニット５１のレンズ面２６及び閃光装置５７の発光面２７を備えている。これらレンズ面２６及び発光面２７は、図２中ｘ方向においてヒンジ部２２が設けられる一端とは反対側の端部で、且つ図２中ｙ方向において第１筐体２０の略中央に配置される。このレンズ面２６の外周縁部には、面２０ｂから突出した留め具３０の雌部材３１が設けられる。
【００２９】
第２筐体２１は、面２１ａに第２表示部２８を備えている。また、この第２筐体２１は、側面２１ｂに、ベルト１６を備えている。このベルト１６は、図３中ｘ方向において、ヒンジ部２２によって第１筐体２０と連結される一端部とは反対側の端部で、図３中ｙ方向において略中央に設けられる。つまり、ベルト１６は、一端が第２筐体２１に取り付けられる固定端となり、他端が自由端となる。このベルト１６の長さは、例えばペンホルダ１７に電子ペン４０が装着された状態で、装置本体１５に対して第１筐体２０側に巻き掛けたときに、ベルト１６の自由端の位置が、留め具３０の雌部材３１の位置よりもヒンジ部２２側となる長さに設定される。
【００３０】
ベルト１６の固定端側にはペンホルダ１７が設けられる。このペンホルダ１７には、スタイラスペンと呼ばれる電子ペン４０が装着される。なお、ペンホルダ１７に電子ペン４０が装着されるとしているが、これに限定される必要はなく、電子ペン４０の他に、万年筆やボールペンシルなどを装着してもよい。なお、この電子ペン４０は、第１表示部２５及び第２表示部２８への入力時に用いられる。
【００３１】
上述したベルト１６の自由端側には、留め具３０の雄部材３２が設けられる。ベルト１６に設けられる留め具３０の雄部材３２が設けられる位置は、ベルト１６を装置本体１５の外周に沿って巻き掛けたときに、第１筐体２０に設けられた留め具３０の雌部材３１と嵌合できる位置である。
【００３２】
図４及び図５に示すように、留め具３０は、第１筐体２０に設けられる雌部材３１と、ベルト１６の自由端側に設けられる雄部材３２とからなる、例えばスナップボタン方式の留め具から構成される。この留め具３０は、携帯型電子情報端末機１０を第２状態とするときにベルト１６に設けられた雄部材３２を、第１筐体２０に設けられる雌部材３１に嵌合させることで、第１筐体２０又は第２筐体２１のいずれか一方が他方に対して回動することを防止する。なお、留め具３０を構成する雌部材３１と雄部材３２とは、それぞれ金属材からなる。
【００３３】
なお、留め具３０の雌部材３１と雄部材３２とを嵌合させると、後述する電源スイッチ６３がオフとなり、雌部材３１と雄部材３２との嵌合を解除すると、電源スイッチ６３がオンとなる。
【００３４】
留め具３０の雌部材３１は、第１筐体２０に取り付けられる基部３１ａと、基部３１ａから上方に突出する円筒部３１ｂとを備えている。この円筒部３１ｂの内周面３１ｃには、該内周面３１ｃから突出する突起部３１ｄが設けられる。この雌部材３１の基部３１ａには開口３１ｅが設けられており、開口３１ｅを介して撮像ユニット５１のレンズ面２６が外部に露呈される。ここで、雌部材３１は、撮像ユニット５１と一体に設けられてもよいし、撮像ユニット５１とは別部品から構成されていてもよい。
【００３５】
留め具３０の雄部材３２は、ベルト１６に固定される基部３２ａと、基部３２ａから下方に突出する円柱部３２ｂとを備えている。この円筒部３２ｂの先端には、基部３２ａ側の外径よりも僅かに大きくした頭部３２ｃが設けられる。
【００３６】
雌部材３１と雄部材３２との嵌合は、以下の手順で行われる。図５（ａ）に示すように、雌部材３１と雄部材３２との嵌合を行う直前の状態においては、雌部材３１の基部３１ａに設けられた開口３１ｅから撮像ユニット５１のレンズ面２６が露呈している。
【００３７】
まず、雄部材３２の頭部３２ｃを雌部材３１の円筒部３１ｂの内部に挿入させる。この状態で、雄部材３２を雌部材３１に押し込むと、雄部材３２の頭部３２ｃが雌部材３１の円筒部３１ｂの内壁面３１ｃに設けられた突起部３１ｄに当接される。雄部材３２の頭部３２ｃが雌部材３１の円筒部３１ｂの内壁面３１ｃに設けられた突起部３１ｄに当接された後、突起部３１ｄは押し込まれる雄部材３２の頭部３２ｃに押圧され、円筒部３１ｃの外径方向へ向けて弾性変形する。雄部材３２の頭部３２ｃがさらに押し込まれると、雄部材３２の頭部３２ｃと突起部３１ｄとの当接が解除され、突起部３１ｄが元の形状に復元される。そして、元の形状に復元された突起部３１ｂは円柱部３２ｂと当接する。これにより、図５（ｂ）に示すように、雌部材３１と雄部材３２とが嵌合される。この状態では、レンズ面２６が、雌部材３１と雄部材３２とによって完全に被覆された状態で保持される。つまり、この留め具３０は、レンズキャップ（レンズカバー）としても機能する。
【００３８】
図６は、本発明の携帯型電子情報端末機にて使用される電子ペンの一例を示す斜視図である。この電子ペン４０は、携帯型電子情報端末機１０への入力操作を行う際に用いられるものであり、例えば電磁誘導方式の電子ペンが用いられる。なお、電磁誘導方式の電子ペン４０の構造については、周知であることから、その詳細を省略する。この電子ペン４０は、その長手方向の両端部に、入力スイッチ４１，４２が設けられている。また、電子ペン４０の長手方向の中央部分には、切替スイッチ４３が設けられている。図６に示す電子ペン４０においては、その両端部に入力スイッチ４１，４２を設けた場合について説明しているが、これに限定される必要はなく、一方の端部にのみ入力スイッチを設けたスタイラスペンであってもよい。
【００３９】
電子ペン４０の両端部に設けられる入力スイッチ４１，４２は入力操作時に用いられる。入力スイッチ４１，４２の機能は、それぞれ同一であることから、入力スイッチ４１についてのみ説明し、入力スイッチ４２については省略する。
【００４０】
入力スイッチ４１は、携帯型電子情報端末機１０への入力操作を行う際に、装置本体１５に設けられた表示部（第１表示部２５または第２表示部２８）に当接、或いは近接される。このときに、電子ペン４０の入力スイッチ４１の内部近傍に設けられた電磁コイルにより発生する電磁波を表示部に設けられたデジタイザ（本実施形態では、タッチパネル）により検出することで、電子ペン４０の入力スイッチ４１の位置座標や、電子ペン４０の傾きを検出することができる。
【００４１】
また、この他に、電子ペン４０を用いて入力操作を行う際に電子ペン４０の入力スイッチ４１を表示部に押し当てると入力スイッチ４１に圧力がかかる。これにより、内蔵される電磁コイルのインダクタンスが変化し、上述した電磁コイルにより発生する電磁波の強さが変化する。この電磁波の強さの変化により、入力操作される電子ペン４０の筆圧を検出することができる。
【００４２】
ここで、入力スイッチ４１を使用した入力操作により実行される機能と、入力スイッチ４２を使用した入力操作により実行される機能とは同一としてもよいし、異なる機能としてもよい。
【００４３】
切替スイッチ４３は、電子ペン４０を用いた入力操作により実行される機能を切り替える際に用いられる。この切替スイッチ４３としては、図６（ａ）に示すように、電子ペン４０の長手方向（図中Ａ方向，Ｂ方向）にスライドするスライド式の切替スイッチが挙げられる。また、図６（ｂ）に示すように、電子ペン４０の長手方向を軸にして図中Ｃ方向又はＤ方向に回転する回転（ダイヤル）式の切替スイッチなど、適宜の形態の切替スイッチを用いることができる。
【００４４】
なお、この切替スイッチ４３は、操作した後の位置を保持するものであってもよいし、操作した後の位置を保持せず初期の位置に復帰させるものであってもよい。例えば、操作した後の位置を保持せず初期の位置に復帰させる切替スイッチ４３とした場合、ユーザが切替スイッチ４３を移動させた状態で保持している場合には、その状態に対応する機能が実行される。そして、ユーザが切替スイッチ４３の保持を解除すると、切替スイッチ４３が初期の位置に復帰する。切替スイッチ４３が初期の位置に復帰することで、次に実行される機能が元の機能に切り替わる。これにより、電子ペン４０を用いた入力操作を行っている際に、使用する機能を一時的に切り替えるときにのみ、ユーザが切替スイッチ４３の操作を行えばよくなるので、電子ペン４０による入力操作時の操作を簡略化することができ、また、電子ペン４０を用いた入力操作時における誤操作を防止することができる。
【００４５】
なお、図６（ａ）及び図６（ｂ）においては、切り替えスイッチ４３を、機械式の切替スイッチとしているが、これに限定される必要はなく、ボタン操作によって使用する機能を切り替える、電子式の切替ボタンであってもよい。
【００４６】
図７は、携帯型電子情報端末機１０の電気的構成を示す機能ブロック図である。携帯型電子情報端末機１０は、撮像ユニット５１、Ａ／Ｄ変換器５２、バッファメモリ５３、画像処理回路５４、第１表示部２５、第２表示部２８、表示制御回路５５、コントローラ５６、閃光装置５７、傾斜センサ５８、ＣＰＵ５９、内蔵メモリ６０、データメモリ６１、通信部６２、電源スイッチ６３、電源回路６４及び電源装置６５を備えている。なお、Ａ／Ｄ変換器５２、バッファメモリ５３、画像処理回路５４、表示制御回路５５、コントローラ５６、閃光装置５７、傾斜センサ５８、ＣＰＵ５９、内蔵メモリ６０、データメモリ６１及び通信部６２は、それぞれバス６６を介して接続される。
【００４７】
撮像ユニット５１は、撮像光学系６８及び撮像素子６９を備え、これらが図示を省略したホルダによって保持されたユニット部品からなる。なお、撮像光学系６８は、単数のレンズから構成されてもよいし、複数のレンズから構成されてもよい。撮像素子６９としては、例えばＣＣＤイメージセンサや、ＣＭＯＳイメージセンサなどが用いられる。なお、この撮像光学系６８および撮像素子６９は、ＣＰＵ５９によって駆動制御される。Ａ／Ｄ変換器５２は、撮像素子６９から出力される画像信号をアナログの画像信号からデジタルの画像信号に変換する。Ａ／Ｄ変換器５２によって変換されたデジタルの画像信号はバッファメモリ５３に書き込まれる。
【００４８】
画像処理回路５４は、バッファメモリ５３に書き込まれる画像信号に対して、ホワイトバランス処理、階調変換処理などの周知の画像処理を実行する。また、この他に、画像処理回路５４は、画像のトリミング処理、画像に対する描画処理、画像の合成処理など、画像編集に基づく処理も実行する。
【００４９】
第１表示部２５は、表示装置７０及びタッチパネル７１を備えている。表示装置７０としては、例えばＬＣＤや有機ＥＬディスプレイなどが用いられる。タッチパネル７１は、例えば電磁誘導方式のタッチパネルである。このタッチパネル７１は、表示装置７０の裏面側に配置される。タッチパネル７１として電磁誘導方式のタッチパネルを用いることで、電子ペン４０が第１表示部２５に当接又は近接したときに、電子ペン４０により発生する電磁波を検知する。これにより、第１表示部２５に当接又は近接される電子ペン４０の入力スイッチ４１又は入力スイッチ４２の位置や傾きを検知する。また、電子ペン４０の入力スイッチ４１又は入力スイッチ４２が第１表示部２５に当接される場合、当接される入力スイッチ４１又は入力スイッチ４２に加わる圧力によって変化する電磁波の強さから、筆圧を検知する。
【００５０】
なお、第１表示部２５に設けられるタッチパネル７１として電磁誘導方式のタッチパネルを挙げているが、これに限定される必要はない。例えば電子ペン４０として、電磁誘導方式以外の方式となるスタイラスペンを用いない場合には、電子ペンに用いられる方式に対応したタッチパネルとすればよい。つまり、このタッチパネル７１は、抵抗膜方式や静電容量方式のタッチパネルの他に、電磁誘導方式のタッチパネルと、抵抗膜方式や静電容量方式のタッチパネルのいずれかのタッチパネルとを併用したものであってもよい。このようなタッチパネルを用いることで、電子ペン４０による入力操作の他に、ユーザの指による入力操作も可能となる。
【００５１】
第２表示部２８は、第１表示部２５と同様に、表示装置７２及びタッチパネル７３を備えている。表示装置７２は、表示装置７０と同様に、例えばＬＣＤや有機ＥＬディスプレイなどが用いられる。タッチパネル７３は、例えば抵抗膜方式のタッチパネルが用いられる。このタッチパネル７３は、表示装置７２の前面に配置される。タッチパネル７３は、電子ペン４０やユーザの指による入力操作が行われた位置、言い換えれば、電子ペン４０やユーザの指が接触した位置を検知する。なお、第２表示部２８に用いられるタッチパネル７３として、抵抗膜方式のタッチパネルを例に挙げているが、これに限定される必要はなく、第１表示部２５に設けられるタッチパネル７１と同様に、電磁誘導方式のタッチパネルを用いてもよいし、抵抗膜方式のタッチパネルと電磁誘導方式のタッチパネルとの双方を併用することも可能である。
【００５２】
表示制御回路５５は、表示装置７０及び表示装置７２のそれぞれに対する表示制御を実行する。コントローラ５６は、タッチパネル７１やタッチパネル７３を駆動し、これらタッチパネル７１やタッチパネル７３からの検知信号に基づく座標信号をＣＰＵ５９に出力する。
【００５３】
閃光装置５７は、撮影時に被写体に向けて閃光を発光する装置である。傾斜センサ５８は、例えばジャイロセンサや加速度センサが用いられる。この傾斜センサ５８からの検出信号は、ＣＰＵ５９に入力される。ＣＰＵ５９は、この傾斜センサ５８からの検出信号に基づいて、装置本体１５の傾斜状態を判別する。
【００５４】
ＣＰＵ５９は、内蔵メモリ６０に記憶された制御プログラムを実行することで、携帯型電子情報端末機１０の各部を制御する。例えば上述したコントローラ５６からの検出信号を受けて、ＣＰＵ５９は、電子ペン４０の入力スイッチ４１、又は入力スイッチ４２の位置座標、筆圧、電子ペン４０の傾きなどの情報を取得する。ＣＰＵ５９は、電子ペン４０の入力スイッチ４１、又は入力スイッチ４２の位置座標、筆圧の情報に基づいて、画像処理回路５４や表示制御回路５５に制御信号を出力する。これにより、電子ペン４０による入力に基づいた処理が実行される。なお、電子ペン４０による入力に基づいた処理としては、例えば画像のトリミング処理、画像に対する描画処理、画像の合成処理など、画像編集する処理や、描画、画面の表示切り替え、表示された画像の移動等の処理が挙げられる。
【００５５】
また、ＣＰＵ５９は、電子ペン４０の傾きの情報や、傾斜センサ５８からの検出信号から、装置本体１５の姿勢を判別する。そして、ＣＰＵ５９は、装置本体１５の姿勢を判別した結果に基づいて、第１表示部２５及び第２表示部２８のそれぞれに表示させる画面の向きを変更するか否かを判定する。例えば第１表示部２５及び第２表示部２８のそれぞれに表示される画面の向きを変更すると判定されている場合には、ＣＰＵ５９は、画面の向きや位置を変更する旨の制御信号を表示制御回路５５に出力する。これにより、第１表示部２５及び第２表示部２８のそれぞれに表示される画面の向きが、装置本体１５の傾きや電子ペン４０の傾きに基づいて変更される。
【００５６】
内蔵メモリ６０は、ＣＰＵ５９によって実行される制御プログラムや各種データを記憶する。また、データメモリ６１は、後述する画像データ、イラスト画像データ、シール画像データ、ＷＥＢデータなどを、データの種類毎に分類して記憶する。
【００５７】
通信部６２は、有線通信や無線通信のいずれかの通信方法を用いて、外部機器７４との間でデータや信号の送受信などを行う。なお、符号７４ａは、外部機器に設けられた通信部である。ここで、外部機器７４としては、デジタルカメラに代表される撮像装置の他、携帯型電子情報端末機やコンピュータなどが挙げられる。
【００５８】
電源スイッチ６３は、携帯型電子情報端末機１０の主電源をオン／オフするために設けられる。この電源スイッチ６３は、留め具３０の雌部材３１を雄部材３２に嵌合されたときにオフとなり、留め具３０の雌部材３１と雄部材３２との嵌合が解除されたときにオンとなる。この電源スイッチ６３は、機械式スイッチ、或いは電子式スイッチのいずれかが用いられる。また、留め具３０による電源スイッチとは異なる電源スイッチ６３を別途設けるようにしてもよい。
【００５９】
電源回路６４は、電源スイッチ６３がオフとなる場合に、ＣＰＵ５９に対してのみ給電を行う制御を実行する。また、電源回路６４は、電源スイッチ６３がオンとなる場合に、電源装置６５から携帯型電子情報端末機１０の各部に対して給電を行う。なお、この電源回路６４における電源装置６５の制御は、ＣＰＵ５９からの駆動信号を受けて実行される。
【００６０】
図８は、携帯型電子情報端末機１０の第１状態における表示画面を示す。携帯型電子情報端末機１０は、上述した第１表示部２５及び第２表示部２８において、それぞれ異なる機能に対応した画面が表示される。これら第１表示部２５及び第２表示部２８に表示される画面は、それぞれ連携している。
【００６１】
第１表示部２５は作業用画面を表示する。この作業用画面としては、編集画面、撮影用画面が挙げられる。編集画面は、例えば電子ペン４０による描画、文字の手書き入力、画像のトリミング、画像の合成などの編集作業を行う画面である。また、撮影用画面は、撮像ユニット５１により取り込まれるスルー画像や、撮影により得られる画像を表示する画面である。なお、これら画面はタブ表示より表示される。つまり、上述した編集画面及び撮影用画面には、タブが付されている。図８においては、タブ名「edit」が編集画面、タブ名「camera」が撮影用画面を示すものである。なお、この図８では、編集画面を表示する場合について記載している。
【００６２】
編集画面及び撮影用画面間の切り替えは、電子ペン４０の入力スイッチ４１又は入力スイッチ４２のいずれかを使用するタブの位置に近接又は当接させる、又は、電子ペン４０の入力スイッチ４１又は入力スイッチ４２のいずれかを第１表示部２５に近接、又は当接させた状態で電子ペン４０を−ｘ方向又はｘ方向に移動させることで実行される。以下、電子ペン４０の入力スイッチ４１又は入力スイッチ４２のいずれかを第１表示部２５に近接、又は当接させた状態で電子ペン４０を−ｘ方向又はｘ方向に移動させる操作を、電子ペン４０をはらう操作と称する。また、編集画面においては、１画面ではなく複数画面となる場合もあることから、編集画面間での切り替えも、電子ペン４０をはらう操作を行うことで実行される。なお、画面間の切り替えに用いる表示としては、例えば手帳のページをめくる動作を模した動画表示が挙げられる。
【００６３】
第１表示部２５に表示される画面を編集画面から撮影用画面に切り替えると、上述した撮像ユニット５１が起動する。この撮像ユニット５１の起動により所定時間間隔でスルー画像が取得される。このスルー画像は第１表示部２５に順次表示される。これにより、第１表示部２５においてライブビュー表示が実行される。このライブビュー表示の際に、電子ペン４０を用いた入力操作が実行されると撮像処理が実行される。なお、電子ペン４０を用いた撮像処理については、後述する。撮像処理が実行されると、撮像処理により得られる画像が第１表示部２５に表示される。そして、電子ペン４０を用いた入力操作により、第１表示部２５に表示される画面を撮影用画面から編集画面に切り替えると、撮像ユニット５１の駆動が停止する。
【００６４】
第２表示部２８はライブラリ画面を表示する。ライブラリ画面としては、画像一覧画面、イラスト画像一覧画面、シール画像一覧画面、ＷＥＢ画面などが挙げられる。なお、画像一覧画面は携帯用電子情報端末機１０に記憶される画像（静止画像、動画像含む）の一覧を表示する画面、イラスト画像一覧画面は描画を行うことで得られるイラスト画像の一覧を表示する画面である。また、シール画像一覧画面は画像の合成時に用いるデコレーション画像（以下、シール画像）の一覧を表示する画面、ＷＥＢ画面はＷＥＢデータ（例えばメールアドレスのデータなど）の一覧を表示する画面である。なお、図８においては、タブ名「photo」は画像一覧画面、タブ名「illustration」はイラスト画像一覧画面、タブ名「seal」はシール画像一覧画面、タブ名「WEB」は、ＷＥＢ画面を示すものである。
【００６５】
ライブラリ画面内の画面の切り替えは、作業用画面における画面切り替えと同様に、電子ペン４０を用いたタブの選択操作や、電子ペン４０をはらう操作により実行される。この場合も、各タブ内の画面が複数ある場合には、電子ペン４０をはらう操作により、画面の切り替え表示が実行される。なお、上述したライブラリ画面におけるタブの追加や削除は、電子ペン４０を用いた入力操作により可能となる。
【００６６】
この携帯型電子情報端末機１０は、装置本体１５の姿勢により、第１表示部２５及び第２表示部２８に表示される画面の向きが変更される。上述したように、装置本体１５が図３に示す姿勢となる場合、第１表示部２５には、編集画面及び撮影用画面がタブ表示され、第２表示部２８にはライブラリ画面が表示される。例えば右利きのユーザが本発明の携帯型電子情報端末機１０を用いる場合、編集や後述する撮影処理を行うために、第１表示部２５が利き手側となるように表示の向きを決定する。次に、装置本体１５を図３に示す姿勢を基準姿勢とした場合、基本姿勢からｚ方向を回転中心として１８０度回転させた場合について説明する。図９は、基本姿勢からｚ方向を回転中心として１８０度回転させた状態を示す斜視図である。
【００６７】
上述したように、携帯型電子情報端末機１０には、傾斜センサ５８が設けられており、装置本体１５の基本姿勢からの変化を検出している。図９に示すように、装置本体１５が１８０度回転すると、傾斜センサ５８は装置本体１５が１８０度回転したことを検知する。この検知により、第１表示部２５における編集画面及び撮影用画面のタブ表示の向きが変更される。同時に、第２表示部２８におけるライブラリ画面の向きが変更される（図示省略）。例えば左利きのユーザが本発明の携帯型電子情報端末機１０を用いる場合には、装置本体１５を基本姿勢から１８０度回転させた姿勢で保持することで、電磁誘導方式のタッチパネル７１を備えた第１表示部２５を左側に位置する表示部として使用することができる。この場合、姿勢を変えることで、撮像ユニット５１を裏面に有する第１表示部２５がユーザの利き手側に移動するので、撮影時の画角の調整などを適切に実行することができる。つまり、装置本体１５の姿勢を変更するだけで、ユーザの利き手による利便性を向上させることができる。
【００６８】
次に、携帯型電子情報端末機１０に対する入力操作の一例について説明する。図１０は、電子ペン４０の入力操作による編集動作の一例を示す。上述したように、第１表示部２５に表示される画面が編集画面の場合には、描画、文字の手書き入力等の入力機能の他、画像のトリミング、画像の合成などの編集機能を実行することができる。例えば、描画、文字の手書き入力を行う場合には、電子ペン４０を用いて、ユーザの意図する文字を入力する、或いは絵を描くことで実行される。なお、線種や線の色などは、例えば第１表示部２５に表示される設定項目から、電子ペン４０を用いて選択することで変更することができる。
【００６９】
上述したように、第１表示部２５に用いられるタッチパネル７１として電磁誘導方式のタッチパネルを用いる場合、表示装置７０の背面側にタッチパネルが配置される。このため、電子ペン４０を用いた描画操作や文字入力操作、或いは選択操作を行うときには、表示装置７０の厚みなどの影響を受けて、電子ペン４０の先端の位置と、実際に入力操作が行われる位置がずれてしまうことがある。このため、電子ペン４０の入力スイッチ４１又は入力スイッチ４２が近接したときに、実際の電子ペン４０における入力操作位置（ポインティング位置）を表示することが好ましい。
【００７０】
次に、第２表示部２８に表示される画像一覧画面に表示される画像を編集する場合について説明する。例えば、図１１（ａ）に示すように、第２表示部２８に表示されたライブラリ画面に表示された画像のうち、画像７５を編集対象とする場合、ユーザは、電子ペン４０を用いて画像７５を選択し、Ｆ方向に電子ペン４０をはらう操作をする。電子ペン４０をはらう操作をすることで、選択された画像７５が、電子ペン４０をはらう操作と同一方向（この場合、Ｆ方向）に移動し、第１表示部２５の所定位置で停止される。つまり、上述した動作を行うことで、選択された画像が第２表示部２８に表示されるライブラリ画面から第１表示部２５に表示される編集画面に放り込まれる（図１１（ｂ）参照）。なお、移動する画像の移動方向や速度、停止させる位置は、電子ペン４０の移動方向や、移動速度に準じて設定される。
【００７１】
また、第２表示部２８に表示されるライブラリ画面から第１表示部２５に表示される編集画面に複数の画像を移動させる場合、編集画面上で画像が重なることが考えられるので、このような場合には、予め設定された距離分ずらすように、各画像の移動場所が調整される。
【００７２】
なお、第２表示部２８に表示されるライブラリ画面から第１表示部２５に表示される編集画面に移動した画像に対しては、例えば描画、文字の手書き入力、画像のトリミング、画像の合成などの編集動作を実行することができる。なお、第１表示部２５に表示される編集画面から第２表示部２８に表示されるライブラリ画面に画像を移動させる場合も、第２表示部２８に表示されるライブラリ画面から第１表示部２５に表示される編集画面に画像を移動させる場合と同様に、電子ペン４０により画像を選択した状態で電子ペン４０をはらう操作を行うことで実行される。
【００７３】
次に、画像のトリミング処理を行う場合について説明する。例えば第２表示部２８のライブラリ画面に表示される画像のいずれかに対してトリミング処理を行う場合には、電子ペン４０を用いた入力操作により、目的の画像を第２表示部２８のライブラリ画面から第１表示部２５の編集画面に移動させる。その後、電子ペン４０を用いた入力操作によりトリミング処理を実行する。図１２（ａ）に示すように、画像７６に含まれる人物をトリミングする場合には、人物の外観に沿って電子ペン４０を移動させる。そして、電子ペン４０の移動軌跡により囲まれる範囲をトリミング範囲としてトリミング処理が実行される。なお、図１２（ａ）における矢印が電子ペン４０の移動軌跡、点線の内側の領域が、実際にトリミングされる領域となる。
【００７４】
なお、図１２（ａ）に示すように、電子ペン４０の移動軌跡が画像７６からはみ出す場合には、電子ペン４０の移動軌跡のうち画像７６に含まれる軌跡部分と、画像の周縁部のうち、移動軌跡内に含まれる部分とで囲まれる範囲をトリミング範囲としたトリミング処理が実行される。このようなトリミング処理を画像７６に実行することで、人物の画像７７が切り出される（図１２（ｂ）参照）。
【００７５】
次に、編集機能として挙げられる画像の合成について説明する。この電子情報端末機１０は、第２表示部２８のライブラリ画面から表示される複数の画像を、第１表示部２５の編集画面上にそれぞれ移動させ、これら複数の画像を１つの画像として合成することが可能となる。ここで、複数の画像としては、第２表示部２８に表示される画像一覧画面、シール画像一覧画面、或いはイラスト画像一覧画面の少なくとも１つの一覧画面から選択される複数の画像となる。
【００７６】
以下、画像一覧画面から選択された画像と、シール画像一覧画面から選択された画像とを合成する場合について説明する。まず、ユーザは、電子ペン４０を用いて、第２表示部２８に表示される画像一覧画面から合成する画像を選択する。そして、電子ペン４０を第１表示部２５に向けて払う操作を行うと、選択した画像が第２表示部２８に向けて移動し、第２表示部２８のライブラリ画面として表示される画像一覧画面から、第１表示部２５の編集画面に移動する。なお、図１３中符号８０で示す画像が、画像一覧画面から選択された画像となる。
【００７７】
第１表示部２５の編集画面に画像を移動させた後、ユーザは、第２表示部２８に表示されるライブラリ画面の内容を、画像一覧画面からシール画像一覧画面に切り替える。この切り替えは、電子ペン４０を用いて、ライブラリ画面に表示されたタブのうち、タブ「ｓｅａｌ」を選択すること実行される。
【００７８】
図１３に示すように、第２表示部２８のライブラリ画面として、シール画像一覧画面を表示させると、記憶されているシール画像の一覧が表示される。なお、図１３においては４個のシール画像８１，８２，８３，８４を表示した場合を記載しているが、表示されるシール画像の数は、これに限定されるものではない。
【００７９】
このシール画像一覧画面において、ユーザは、電子ペン４０を用いて、合成するシール画像を選択する。図１４に示すように、電子ペン４０の入力スイッチ４１を、第２表示部２８において、ユーザの意図するシール画像が表示された位置に接触させる。図１４においては、シール画像８３を選択した場合を示す。この操作を受けて、選択されたシール画像８３が、図中点線に示す状態から、図中実線で示す周縁部の一部がめくれ上がった状態に切り替わる。なお、このシール画像８３において、その周縁部の一部がめくれ上がる様子をアニメーションにより表示してもよいし、周縁部の一部がめくれ上がってない状態のシール画像から、周縁部の一部がめくれ上がった状態のシール画像に差し替えて表示してもよい。以降、電子ペン４０にて選択されたシール画像８３は、その周縁部の一部がめくれ上がった状態で表示される。
【００８０】
シール画像８３を選択した後、ユーザは電子ペン４０を第１表示部２５に向けて、払う操作を行う。この電子ペン４０の払う操作により、選択されたシール画像８３が、第２表示部２８のシール画像一覧画面から第１表示部２５の編集画面に移動する。ここで、移動するシール画像８３は、周縁部の一部がめくれ上がった状態が維持されたまま、第１表示部２５の編集画面に移動する（図１５参照）。なお、移動させるシール画像の停止位置は、電子ペン４０を払う方向及び電子ペン４０を払う速度などによって決定される。
【００８１】
ユーザは、シール画像８３を第１表示部２５の編集画面に移動させた後、シール画像８３を目的の位置まで移動させる。このシール画像８３の移動は、電子ペン４０の入力スイッチ４１を第１表示部２５に摺接させることで実行される。図１６（ａ）に示すように、シール画像８３を目的の位置まで移動させたときに、電子ペン４０と第１表示部２５との接触を解除する。これにより、シール画像を移動させる操作が終了する。なお、第１表示部２５の編集画面に移動させたシール画像が目的の位置にある場合には、シール画像８３の位置を第１表示部の編集画面上で移動させる操作は行う必要はない。
【００８２】
図１６（ｂ）に示すように、電子ペン４０と第１表示部２５との接触を解除した後、電子ペン４０を第１表示部２５のシール画像８３が表示される位置に再度接触させる。この接触においては、電子ペン４０を第１表示部２５に接触されるだけでもよいし、第１表示部２５に接触させた電子ペン４０を第１表示部２５に押圧させてもよい。
【００８３】
この電子ペン４０の操作を行うと、周縁部の一部がめくれ上がった状態のシール画像８３が、図中実線で示す元のシール画像８３として表示される。この電子ペン４０による操作を行うことで、シール画像を他の画像に貼り付けることができる。このシール画像８３の状態変化は、アニメーションで表示してもよいし、周縁部の一部がめくれ上がった状態のシール画像から、周縁部の一部がめくれ上がってない状態のシール画像に差し替えて表示することも可能である。ユーザの電子ペンによる操作や、該操作に基づく表示を行うことで、選択されたシール画像を他の画像に貼り付ける動作をユーザに実感させることが可能となる。
【００８４】
なお、上述した操作を行ってシール画像８３を他の画像８０に貼り付けた後、再度シール画像８３の位置を変更する場合には、ユーザは、電子ペン４０を第１表示部２５に表示されるシール画像８３の位置に接触させる。これにより、再度シール画像８３が、その周縁部の一部がめくり上がった状態となる。そして、電子ペン４０の操作によってシール画像を移動させ、上述したシール画像を貼り付ける操作を行えばよい。
【００８５】
次に、上述した携帯型電子情報端末機１０を用いて撮影を行う場合について説明する。
【００８６】
一般に、デジタルカメラに代表される撮像装置や、カメラ機能を備えた携帯型電子情報端末機などにおいては、タッチパネルやタッチスクリーンなどの位置入力装置を備えた表示部を備えている。このような撮像装置の中には、例えばユーザの指が触れた位置にシャッタスイッチを移動させるものや、タッチパネルに当接するユーザの指の移動にあわせてシャッタスイッチの位置を移動させるものが提案されている（特開平１１−２１２７２６号公報参照）。これらの場合、ユーザはシャッタスイッチの位置を確認せずに表示部に触れるだけで撮影ができ、シャッタチャンスを逃さずに済む。
【００８７】
しかしながら、ユーザの指が当接した位置にシャッタスイッチを移動させる、又は指の移動にあわせてシャッタスイッチを移動させる場合、ユーザの指が誤って表示部に触れた場合でも撮影が実行されるという誤動作が生じる恐れがあるという問題がある。また、特定の範囲を撮像範囲としたい場合には、ズーム倍率を変更する操作を行った後、シャッタスイッチ（ボタン）を操作する２段階の操作を必要とすることから、これら２段階の操作を実行している間にシャッタチャンスを逃してしまうという問題もある。
【００８８】
よって、携帯型電子情報端末機においては、ユーザの誤操作を防止し、且つシャッタチャンスを逃すことなくユーザの意図する範囲の画像を取得することを目的とする。
【００８９】
本実施形態の携帯型電子情報端末機１０において、電子ペン４０を用いて第１表示部２５に表示される画面を撮影用画面に切り替えると、第１筐体２０に設けられた撮像ユニット５１が起動する。図１７に示すように、撮像ユニット５１が起動することで、第１表示部２５には、撮像ユニット５１により取り込まれるスルー画像を用いたライブビュー表示が実行される。ここで、撮影用画面においては、スルー画像の他に、撮影時の設定などが表示される。撮影処理は電子ペン４０を用いた入力操作により実行され、撮影により得られた画像が第１表示部２５に表示される。なお、撮影により得られる画像は、自動的に保存してもよいし、ユーザによる電子ペン４０の入力操作による選択により保存してもよい。なお、撮影により得られた画像を保存した場合には、ライブラリ画面の画像一覧に表示される画像の一つとして表示される。
【００９０】
第１表示部２５においてスルー画像を用いたライブビュー表示が実行されている場合に、第１表示部２５に対して電子ペン４０を二次元移動させて撮像範囲を指定する。第１表示部２５に対する電子ペン４０の撮像範囲に基づいた撮像処理が実行される。以下、二次元移動として電子ペン４０の移動軌跡が直線となる場合について説明する。
【００９１】
図１８（ａ）に示すように、第１表示部２５にライブビュー表示が実行されている状態で、電子ペン４０の入力スイッチ４１を第１表示部２５に当接させる。例えば人物を被写体とする場合には、ユーザは、人物の領域から外れた位置に電子ペン４０の入力スイッチ４１を当接させる。この電子ペン４０の入力スイッチ４１が当接される位置を始点Ｐ１とする。
【００９２】
電子ペン４０の入力スイッチ４１を第１表示部２５に当接させた後、電子ペン４０の入力スイッチ４１を第１表示部２５に当接させたまま、入力スイッチ４１の移動軌跡が略直線となるように、電子ペン４０を図中Ｇ方向に移動させる。このとき、電子ペン４０の移動軌跡上及びその近傍の領域の画素情報に基づいて種々のパラメータが取得される。そして、意図する位置まで電子ペン４０を移動させた後、電子ペン４０の入力スイッチ４１と第１表示部２５との当接を解除する。図１８（ｂ）に示すように、電子ペン４０の入力スイッチ４１と第１表示部２５との当接が解除された位置を終点Ｐ２とする。この電子ペン４０の入力スイッチ４１と第１表示部２５との当接が解除されたことを受けて、上述したパラメータを用いた撮像処理や画像処理が実行される。なお、撮像処理においては、始点Ｐ１と終点Ｐ２とを結ぶ直線を対角線とした矩形の領域（以下、矩形領域）８５を撮像範囲とした撮像処理が実行される。
【００９３】
次に、撮像処理の流れについて説明する。以下、撮像処理の際の電子ペン４０の二次元移動にあわせて、ホワイトバランス処理用のパラメータを設定する際に用いる色情報を取得する場合について、第１実施形態と称して説明する。
＜第１実施形態＞
以下、第１実施形態における撮像処理の流れについて、図１９のフローチャートを用いて説明する。このフローチャートに係る撮影処理は、電子ペン４０を用いて第１表示部２５にて表示される画面を編集画面から撮影用画面に切り替えることを契機に実行される。
【００９４】
ステップＳ１０１は、第１表示部２５においてライブビュー表示を行う処理である。第１表示部２５にて表示される画面が編集画面から撮影用画面に切り替わると、ＣＰＵ５９は、撮像素子６９を駆動制御する。この撮像素子６９の駆動制御により所定時間間隔で画像信号が撮像素子６９から出力され、バッファメモリ５３に書き込まれる。画像処理回路５４は、バッファメモリ５３に書き込まれた画像信号に対して画像処理を施し、スルー画像データを生成する。この画像処理においては、予め設定されたパラメータを用いたホワイトバランス処理が実行される。ここで、パラメータとは、色温度、被写体の輝度などに基づいて算出されるホワイトバランス処理用のゲイン（値）である。このスルー画像データは、表示制御回路５５によって読み出され、該スルー画像データに基づくスルー画像を表示装置７０に表示する。なお、撮像素子６９からは所定時間間隔でスルー画像信号が出力されるので、表示装置７０には、スルー画像が順次表示される。つまり、表示装置７０において、ライブビュー表示が実行される。
【００９５】
ステップＳ１０２は、タッチパネルによる検知があるか否かを判定する処理である。電子ペン４０の入力スイッチ４１を第１表示部２５に当接させると、タッチパネル７１からその検知信号が出力される。この検知信号は、コントローラ５６に出力される。コントローラ５６は、検知信号に基づいて位置座標を求めた後、求めた位置座標を示す座標信号をＣＰＵ５９に出力する。ＣＰＵ５９は、この座標信号が入力されるか否かによって、ステップＳ１０２の判定処理を実行する。例えば、ＣＰＵ５９は、コントローラ５６からの座標信号が入力された場合、ステップＳ１０２の判定結果をＹｅｓとする。この場合、ステップＳ１０３に進む。
【００９６】
一方、ＣＰＵ５９は、コントローラ５６からの座標信号が入力されない場合、ステップＳ１０２の判定結果をＮｏとする。このような場合、ステップＳ１０２の判定結果がＹｅｓとなるまで、ステップＳ１０２の判定処理を繰り返し実行する。
【００９７】
ステップＳ１０３は、ホワイトバランス処理の設定があるか否かを判定する処理である。ＣＰＵ５９は、内蔵メモリ６０を参照して、ホワイトバランス処理の設定があるか否かを判定する。このホワイトバランス処理の設定とは、例えばホワイトバランス処理を行う際に参照する領域の設定である。このホワイトバランス処理の設定として、電子ペン４０にて指定された領域（タッチパネル７１にて検知される領域）を示す設定であれば、ＣＰＵ５９は、ステップＳ１０３の判定結果をＹｅｓとする。この場合、ステップＳ１０４に進む。一方、ホワイトバランス処理の設定として、電子ペン４０にて指定された領域ではない場合には、ＣＰＵ５９は、ステップＳ１０３の判定結果をＮｏとする。この場合、ステップＳ１０５に進む。
【００９８】
ステップＳ１０４は、色情報を取得する処理である。ＣＰＵ５９は、入力される座標信号に基づく位置座標に該当する画素及びその近傍の画素の色情報を取得する。色情報を取得する際に用いる画像データは、表示装置７０におけるライブビュー表示にて使用されたスルー画像データである。
【００９９】
ステップＳ１０５は、タッチパネルによる検知が終了したか否かを判定する処理である。上述したように、電子ペン４０の入力スイッチ４１によるタッチパネル７１の入力操作が行われる場合、ＣＰＵ５９には、座標信号が入力される。ＣＰＵ５９は、この座標信号の入力が停止されるか否かによって、ステップＳ１０５の判定処理を実行する。例えば、座標信号の入力が停止されると、ＣＰＵ５９は、ステップＳ１０５の判定結果をＹｅｓとする。この場合、ステップＳ１０６に進む。一方、座標信号が引き続き入力されている場合には、ＣＰＵ５９は、ステップＳ１０５の判定結果をＮｏとする。この場合、ステップＳ１０４に戻る。
【０１００】
ステップＳ１０６は、撮像処理である。ＣＰＵ５９は、撮像素子６９を駆動制御し、予め設定された撮影条件に基づいた撮像処理を実行する。これにより、記録用の画像信号が取得される。この記録用の画像信号はバッファメモリ５３に記憶される。
【０１０１】
ステップＳ１０７は、画像処理である。上述したように、ＣＰＵ５９には、タッチパネル７１による入力操作に基づいた座標信号が入力される。ＣＰＵ５９は、最初に入力された座標信号を始点Ｐ１の座標信号、最後に入力された座標信号を終点Ｐ２の座標信号として、これら始点Ｐ１及び終点Ｐ２を結ぶ直線を対角線とする矩形領域８５を求める。そして、この矩形領域８５の四隅の点の座標を示す座標信号を画像処理回路５４に出力する。
【０１０２】
これを受けて、画像処理回路５４は、バッファメモリ５３に記憶される記録用の画像信号から、矩形領域８５の四隅の点の座標を示す座標信号に基づいた画素信号を、撮影により取得する画像信号として読み出す。そして、読み出した記録用の画像信号に対して、ホワイトバランス処理、階調変換処理などの画像処理を施す。なお、ステップＳ１０３によりホワイトバランス処理の設定がされている場合には、ステップＳ１０４において色情報が取得されているので、この色情報に基づいて算出されたパラメータ（ホワイトバランス処理用のゲイン）を用いたホワイトバランス処理が実行される。
【０１０３】
一方、ステップＳ１０３によりホワイトバランス処理の設定がされていない場合には、例えばライブビュー表示に使用されるスルー画像に対して実行されたホワイトバランス処理と同一のホワイトバランス処理が、記録用の画像信号に対して実行される。これにより、記録用の画像データが生成される。
【０１０４】
ステップＳ１０８は、プレビュー表示を行う処理である。表示制御回路５５は、ステップＳ１０７にて生成された記録用の画像データに基づく画像を、第１表示部２５の表示装置７０に表示する。
【０１０５】
ステップＳ１０９は、画像を記録するか否かを判定する処理である。ステップＳ１０８において第１表示部２５の表示装置７０に画像が表示されたときに、表示制御回路５５は、第１表示部２５の表示装置７０に、画像を表示する他、画像を記録するか否かを選択させるためのコメント及び選択アイコン（「はい」、「いいえ」など）を表示する。例えばタッチパネル７１に対して電子ペン４０を用いた入力操作があれば、ＣＰＵ５９に座標信号が入力される。ＣＰＵ５９は、入力される座標信号に基づく位置座標と、選択アイコンの位置座標とを比較する。入力される座標信号に基づく位置座標が、選択アイコン「はい」の位置座標の範囲内となる場合、ＣＰＵ５９は、ステップＳ１０９の判定結果をＹｅｓとする。この場合、ステップＳ１１０に進む。一方、入力される座標信号に基づく位置座標が、選択アイコン「いいえ」の位置座標の範囲内となる場合、ＣＰＵ５９は、ステップＳ１０９の判定結果をＮｏとする。この場合、ステップＳ１１１に進む。
【０１０６】
ステップＳ１１０は、画像を記録する処理である。画像処理回路５４は、バッファメモリ５３に記憶される記録用の画像データを読み出し、圧縮符号化処理を施す。そして、ＣＰＵ５９は、カメラの種類、撮影条件などの情報と、圧縮符号化処理された画像データをまとめた画像ファイルを、データメモリ６１に書き込む。なお、メモリカードや光学ディスク、磁気ディスクなどの記憶媒体が装着されている場合には、この記憶媒体に画像ファイルを書き込むことも可能である。
【０１０７】
ステップＳ１１１は、撮影を終了するか否かを判定する処理である。ＣＰＵ５９は、コントローラ５６から出力される座標信号に基づいて、このステップＳ１１１の判定処理を行う。ここで、コントローラ５６から出力される座標信号としては、例えば電子ペン４０による第１表示部２５への入力操作が撮影用画面から編集画面に切り替える際に出力される座標信号である。このコントローラ５６から出力される座標信号がＣＰＵ５９に入力されると、ＣＰＵ５９は、撮影を終了すると判定する。この場合、ステップＳ１１１の判定結果がＹｅｓとなり、フローチャートが終了する。また、ＣＰＵ５９は、表示制御回路５５に、第１表示部２５における表示を切り替える旨の信号を出力する。これを受けて、表示制御回路５５は、第１表示部２５の表示装置７０に表示する画像を切り替える。これにより、第１表示部２５に表示される画面が、撮影用画面から編集画面に切り替わる。
【０１０８】
一方、コントローラ５６から座標信号が出力されない場合には、ＣＰＵ５９は、撮影を終了せずに、撮影を継続すると判定する。この場合、ステップＳ１１１の判定結果がＮｏとなり、ステップＳ１０１に戻る。
【０１０９】
つまり、第１表示部２５に表示される撮影用画面において、電子ペン４０の入力スイッチ４１を第１表示部２５に当接させてユーザの意図する範囲となるように、電子ペン４０を直線移動させると、ステップＳ１０２からステップＳ１０５の処理が実行され、電子ペン４０と第１表示面２５との当接を解除すると、電子ペン４０を直線移動させたときの始点Ｐ１と終点Ｐ２とを結ぶ直線を対角線とした矩形領域８５を撮像範囲とした画像がステップＳ１０６にて取得される。このように、電子ペン４０を第１表示部２５に当接させた状態で任意の方向に移動させるだけで、電子ペン４０の移動に基づいて設定された撮像範囲の画像を得ることができる。これによれば、第１表示部２５に電子ペン４０を誤って当接させたとしても、撮像処理が実行されることがない。また、ユーザが意図する構図の際には、電子ペン４０の直線動作のみで撮影を行うことができるので、シャッタチャンスを逃すことなく、ユーザの意図する範囲における画像を取得することができる。
【０１１０】
第１実施形態では、ステップＳ１０４においてコントローラ５６から出力される座標信号に基づく位置座標の画素及びその近傍となる画素の色情報を取得しているが、ステップＳ１０４の処理は必ずしも必要ではない。つまり、画像処理を実行する際に、取得された位置座標から特定される矩形領域８５の色情報を取得した上でホワイトバランス処理時に用いるパラメータを求めればよい。
【０１１１】
この場合、始点Ｐ１と終点Ｐ２とを結ぶ直線を対角線とした矩形領域８５に含まれる全ての画素を用いてホワイトバランス処理用のパラメータを求めてもよいし、図２０に示すように、矩形領域８５の一部の領域（図２０においてはハッチングに示す中央の領域８６）に含まれる画素を用いてホワイトバランス処理用のパラメータを求めることも可能である。
【０１１２】
また、矩形領域８５に含まれる画素を全て用いる場合には、矩形領域８５を複数の領域に区分し、区分した領域のそれぞれに対して重み付けを行った結果に基づいてホワイトバランス処理時に用いるパラメータを求めることも可能である。
【０１１３】
この第１実施形態においては、電子ペン４０の直線移動によって設定される矩形領域を撮像範囲とした画像データを記録用の画像データとして記録しているが、これに限定される必要はなく、撮像素子６９により取り込まれる画像信号全体に対してホワイトバランス処理などの画像処理を行い、この画像処理を施した画像データを記録することも可能である。このように取得された画像データに対しては、電子ペン４０により設定された始点Ｐ１及び終点Ｐ２の位置座標を付帯情報として記憶させておき、第１表示部２５や第２表示部２８に表示させる場合に、この位置座標に基づく範囲のみを表示させることも可能である。
【０１１４】
第１実施形態では、電子ペン４０の直線移動にあわせて、ホワイトバランス処理用のパラメータを設定する際に用いる色情報を取得する場合について述べているが、これに限定される必要はなく、電子ペン４０の直線移動にあわせて、フォーカス調整時に用いるコントラスト情報を取得することも可能である。以下、フォーカス調整時に用いるコントラスト情報を取得する場合の処理の流れを第２実施形態として説明する。
＜第２実施形態＞
フォーカス調整時に用いるコントラスト情報を取得する場合の撮像処理の流れについて、図２１のフローチャートに基づいて説明する。この場合、撮像光学系６３は、フォーカス調整用のレンズを含む複数のレンズから構成される。このフローチャートも、図１９のフローチャートと同様に、第１表示部２５にて表示される画面が編集画面から撮影用画面に切り替わることを契機に実行される。
【０１１５】
ステップＳ２０１は、ライブビュー表示を行う処理である。このステップＳ２０１の処理はステップＳ１０１と同一の処理である。
【０１１６】
ステップＳ２０２は、タッチパネルによる検知があるか否かを判定する処理である。このステップＳ２０２の処理は、ステップＳ１０２と同一の処理である。例えばコントローラ５６から出力される座標信号があれば、ＣＰＵ５９は、ステップＳ２０２の判定結果をＹｅｓとする。この場合、ステップＳ２０３に進む。一方、コントローラ５６からの座標信号がない場合には、ＣＰＵ５９は、ステップＳ２０２の判定結果をＮｏとする。この場合、ステップＳ２０２の判定結果がＹｅｓとなるまで、ステップＳ２０２の判定処理を繰り返し実行する。
【０１１７】
ステップＳ２０３は、オートフォーカス処理の設定があるか否かを判定する処理である。ＣＰＵ５９は、内蔵メモリ６０を参照して、オートフォーカス処理の設定があるか否かを判定する。このオートフォーカス処理の設定とは、例えばオートフォーカス処理を行う際に参照する領域の設定である。このオートフォーカス処理の設定として、電子ペン４０にて指定された領域（タッチパネル７１にて検知される領域）をフォーカス調整用の領域とする設定であれば、ＣＰＵ５９は、ステップＳ２０３の判定結果をＹｅｓとする。この場合、ステップＳ２０４に進む。一方、オートフォーカス処理の設定として、電子ペン４０にて指定された領域以外の領域をフォーカス調整用の領域とする設定であれば、ＣＰＵ５９は、ステップＳ２０３の判定結果をＮｏとする。この場合、ステップＳ２０５に進む。なお、この場合には、例えば画像の中央の領域など、任意の領域をオートフォーカス処理に用いる領域とする。
【０１１８】
ステップＳ２０４は、コントラスト情報を取得する処理である。ＣＰＵ５９は、入力される座標信号に基づく位置座標に該当する画素及びその近傍の画素のコントラスト情報を取得する。ここで、コントラスト情報を取得する際に用いる画像データとは、表示装置７０におけるライブビュー表示にて表示されたスルー画像データである。
【０１１９】
ステップＳ２０５は、タッチパネルによる検知が終了したか否かを判定する処理である。ステップＳ２０５の処理はステップＳ１０５と同一の処理である。電子ペン４０によるタッチパネル７１の入力操作が行われる場合、ＣＰＵ５９には、座標信号が入力される。ＣＰＵ５９は、この座標信号の入力が停止されるか否かによって、ステップＳ２０５の判定処理を実行する。例えば、座標信号の入力が停止されると、ＣＰＵ５９は、ステップＳ２０５の判定結果をＹｅｓとする。この場合、ステップＳ２０６に進む。一方、座標信号の入力が行われている場合には、ＣＰＵ５９は、ステップＳ２０５の判定結果をＮｏとする。この場合、ステップＳ２０４に戻る。
【０１２０】
ステップＳ２０６は、撮像処理である。ＣＰＵ５９は、ステップＳ２０４にて得られたコントラスト情報に基づいてフォーカスレンズの位置を調整した後、予め設定された撮影条件に基づいて、撮像素子６９を駆動制御する。これにより、記録用の画像信号が取得される。この画像信号はバッファメモリ５３に記憶される。
【０１２１】
ステップＳ２０７は、画像処理である。ＣＰＵ５９は、最初に入力された座標信号を始点Ｐ１の座標信号、最後に入力された座標信号を終点Ｐ２の座標信号として、これら始点Ｐ１及び終点Ｐ２を結ぶ直線を対角線とする矩形領域８５を求める。そして、この矩形領域７１の四隅の点の座標を示す座標信号を画像処理回路５４に出力する。これを受けて、画像処理回路５４は、バッファメモリ５３に記憶される画像信号から、矩形領域８５の四隅の点の座標を示す座標信号に基づいた画素信号を、撮影により取得する画像信号として読み出す。そして、読み出した画像信号に対して、ホワイトバランス処理、階調変換処理などの画像信号を施す。
【０１２２】
ステップＳ２０８は、プレビュー表示を行う処理である。このステップＳ２０８の処理はステップＳ１０８と同一の処理である。これにより、撮像処理により得られた画像が第１表示部２５に表示される。
【０１２３】
ステップＳ２０９は、画像を記録するか否かを判定する処理である。このステップＳ２０９は、ステップＳ１０９と同一の処理である。ステップＳ２０９の判定結果がＹｅｓとなる場合、ステップＳ２１０に進む。一方、ステップＳ２０９の判定結果がＮｏとなる場合、ステップＳ２１１に進む。
【０１２４】
ステップＳ２１０は、画像を記録する処理である。このステップＳ２１０の処理は、ステップＳ１１０と同一の処理である。
【０１２５】
ステップＳ２１１は、撮影を終了するか否かを判定する処理である。このステップＳ２１１の処理は、ステップＳ１１１と同一の処理である。ステップＳ２１１の判定結果がＹｅｓとなる場合、フローチャートが終了する。この場合、ＣＰＵ５９は、表示制御回路５５に、第１表示部２５における表示を切り替える旨の信号を出力する。これを受けて、表示制御回路５５は、第１表示部２５の表示装置７０に表示する画像を切り替える。これにより、第１表示部２５に表示される画面が、撮影用画面から編集画面に切り替わる。一方、ステップＳ２１１の判定結果がＮｏとなる場合には、ステップＳ２０１に戻る。
【０１２６】
この場合、第１表示部２５における撮影用画面において、電子ペン４０の入力スイッチ４１を第１表示部２５に当接させて、ユーザの意図する撮影範囲となるように、電子ペン４０を直線移動させると、ステップＳ２０２からステップＳ２０５の処理が実行され、直線移動上の画素、及びその近傍の領域に含まれる画素を用いたコントラスト情報が取得される。そして、電子ペン４０の入力スイッチと第１表示面２５との当接を解除すると、電子ペン４０を直線移動させたときの始点Ｐ１と終点Ｐ２とを結ぶ直線を対角線とした矩形領域８５を撮像範囲とし、且つ、得られたコントラスト情報に基づいたフォーカス調整を行った撮像処理が実行される。この撮像処理により、撮像範囲にフォーカス調整が施された画像が取得される。
【０１２７】
このように、電子ペン４０を第１表示部２５に当接させた状態で任意の方向に移動させるだけで、電子ペン４０の移動に基づいて規定される撮像範囲の画像を得ることができる。この場合も、第１表示部２５に電子ペン４０を誤って当接させたとしても、撮像処理が実行されることがない。また、ユーザが意図する構図の際には、電子ペン４０の直線動作のみで撮影を行うことができるので、シャッタチャンスを逃すことなく、ユーザの意図する撮像範囲における画像を取得することができる。
【０１２８】
第２実施形態では、ステップＳ２０４の処理を実行することで、コントラスト情報を取得しているが、これに限定される必要はなく、例えば電子ペン４０の入力操作に基づいて撮像範囲が設定された後に、設定された撮像範囲に含まれる画素の画像情報から、コントラスト情報を取得し、フォーカスレンズの位置を調整することも可能である。
【０１２９】
第１実施形態では、電子ペン４０による撮像範囲の設定時に色情報を取得する処理を行い、ホワイトバランス処理時に用いるパラメータを求める場合について、第２実施形態では、電子ペン４０による撮像範囲の設定時にコントラスト情報を取得する処理を行い、フォーカス調整用のパラメータを求める場合について、それぞれ異なる実施形態としているが、これら実施形態を同時に実行することも可能である。
【０１３０】
第１実施形態では、電子ペン４０による撮像範囲の設定時に色情報を取得する処理を行い、ホワイトバランス処理時に用いるパラメータを求める場合について、また、第２実施形態では、電子ペン４０による撮像範囲の設定時にコントラスト情報を取得する処理を行い、フォーカス調整用のパラメータを求める場合について、それぞれ説明しているが、電子ペン４０による撮像範囲の設定時に取得される情報から求めるパラメータは、これらに限定される必要はなく、例えば、電子ペン４０による撮像範囲の設定時に輝度情報を取得し、この輝度情報に基づいて撮影時の露光条件を設定することも可能である。
【０１３１】
本実施形態では、電子ペン４０の直線移動により特定される矩形の領域を撮像範囲とした撮像処理を行っている。例えば、撮像光学系としてズーム倍率を変更可能な撮像光学系、つまり、光学ズーム機能を備えた撮像ユニットを備えている場合には、撮像範囲として設定される矩形領域８５が、撮像素子６９における撮影可能範囲内で最大の大きさとなるように、ズーム倍率を上げる調整を行った後、撮像処理を実行することも可能である。この場合、ステップＳ１０６及びステップＳ２０６の処理が実行される直前で、ズーム倍率を変更してあげればよい。
【０１３２】
本実施形態では、電子ペン４０を第１表示部２５に当接させたまま直線移動させ、電子ペン４０と第１表示部２５との当接が解除されたことを受けて、撮像処理を実行している。しかしながら、例えば電磁誘導型の電子ペン４０、電磁誘導型のタッチパネル７１の組み合わせの場合には、電子ペン４０を近接させた状態であっても、タッチパネル７１によって電子ペン４０を検知することができるので、タッチパネル７１によって検知できる距離で電子ペン４０を移動させ、タッチパネル７１により電子ペン４０が検知できなくなったときに、電子ペン４０の移動によって検知された始点Ｐ１及び終点Ｐ２を結ぶ直線を対角線とした矩形領域８５を撮像範囲とした撮像処理を実行することも可能である。
【０１３３】
本実施形態では、電子ペン４０と第１表示部２５との当接が解除されたことを契機にして撮像処理を実行しているが、これに限定される必要はなく、第１表示部２５に当接される電子ペン４０が同一位置で所定時間検出される場合に、この位置を終点Ｐ２として撮像処理を実行することも可能である。
【０１３４】
この場合、電子ペン４０が同一位置で検出されてから、所定時間経過する前に電子ペン４０を移動させたときには、電子ペン４０を移動させた後の位置を終点Ｐ２とし、この位置（終点Ｐ２）で所定時間経過したときに初めて、撮像処理を実行することも可能である。
【０１３５】
本実施形態では、電子ペン４０と第１表示部２５との当接が解除されたことを契機にして撮像処理を実行しているが、これに限定される必要はない。例えば電子ペン４０にて入力操作することで人物の領域を撮像範囲とした場合、撮像範囲には対象となる人物が含まれている。このため、電子ペン４０と第１表示部２５との当接が解除された場合であっても撮像処理を実行せずに、例えば撮像範囲に含まれる人物の顔が笑顔となることが検出された場合、或いは目つぶれしていない状態が検出された場合に、撮像処理を実行することも可能である。
【０１３６】
本実施形態では、電子ペン４０の入力スイッチ４１の移動軌跡を直線とする場合について説明しているが、例えば三角形、四角形など、ユーザが電子ペン４０を用いて多角形を一筆書きで描いた場合に、その描いた多角形の領域を撮像範囲とした撮像処理を実行することも可能である。
【０１３７】
本実施形態では、電子ペン４０の入力スイッチ４１の移動軌跡が直線となるように電子ペン４０を移動させる場合について説明しているが、これに限定される必要はなく、例えば電子ペン４０の入力スイッチ４１の移動軌跡が、例えば円弧、楕円弧などの曲線となるように電子ペン４０を移動させてもよい。図２２に示すように、電子ペン４０の入力スイッチ４１と第１表示部２５とが当接した位置を始点Ｐ１とし、電子ペン４０を円弧状に（図２２中Ｊ方向に）移動させる。そして、電子ペン４０の入力スイッチ４１と第１表示部２５との当接を解除した位置を終点Ｐ２とする。
【０１３８】
ここで、電子ペン４０の入力スイッチ４１の移動軌跡を曲線とする場合には、終点Ｐ２の位置は、始点Ｐ１の位置と同一位置であることが望ましい。しかしながら、電子ペン４０の操作によっては、始点Ｐ１の位置と終点Ｐ２の位置とは同一位置とはならないことが多い。そのため、終点Ｐ２の位置は、始点Ｐ１近傍の位置であればよい。なお、電子ペン４０の入力スイッチ４１の移動軌跡が曲線となる場合には、撮像範囲は、入力スイッチ４１の移動軌跡に内接する矩形領域８５であってもよいし、外接する矩形領域８５であってもよい。なお、図２２においては、撮像範囲を入力スイッチ４１の移動軌跡に外接する矩形領域８５とした場合について記載してある。
【０１３９】
ここで、電子ペン４０の入力スイッチ４１の移動軌跡を曲線とした場合、ユーザによっては、円弧状の曲線ではなく楕円弧状に電子ペン４０を移動させてしまう場合もある。電子ペン４０の入力スイッチ４１の移動軌跡を楕円弧状とする場合には、ユーザが意図的に楕円形の軌跡としたか否かを判断し、ユーザが意図的に楕円形の軌跡としたと判断される場合には、その軌跡に含まれる領域をＡＥ処理、ＡＦ処理及びＡＷＢ処理を行う領域として設定することもできる。
【０１４０】
ユーザが意図的に楕円形の軌跡としたか否かを判断する条件としては、例えば楕円弧状の軌跡における短径と長径の比が予め設定された値（例えば０．７など）以上であるか否かの条件（条件１）と、楕円形状の軌跡における長径の方向と、水平方向（図２２で示すｘ方向）とのなす角度θが所定範囲に含まれるか否かの条件（条件２）とのいずれか一方の条件が挙げられる。ここで、所定範囲としては、水平方向（図２２で示すｘ方向）とのなす角度θが−１０°＜θ＜１０°又は８０°＜θ＜１００°であることが好ましい。
【０１４１】
以下、上述した条件１及び条件２を満足しない場合に、ユーザが意図的に楕円形状の軌跡としたと判断し、楕円形状の軌跡に含まれる領域を、ＡＥ処理、ＡＦ処理及びＡＷＢ処理を行う領域として設定する場合を説明する。
【０１４２】
以下、撮影時に入力される電子ペン４０の入力スイッチ４１の移動軌跡が楕円形状の軌跡となる場合の処理の流れについて、図２３のフローチャートに基づいて説明する。
【０１４３】
ステップＳ３０１は、楕円の短径／長径の比か閾値以上となるか否かを判定する処理である。ＣＰＵ５９は、求めた入力操作の移動軌跡から、楕円の長径と短径とを求める。そして、ＣＰＵ５９は、楕円の短径／長径の比を算出する。そして、楕円の短径／長径の比が閾値以上となるか否かを判定する。楕円の短径／長径の比が閾値以上となる場合、ＣＰＵ５９は、ステップＳ３０１の判定結果をＹｅｓとする。この場合、ステップ３０２に進む。一方、楕円の短径／長径の比が閾値未満となる場合、ＣＰＵ５９は、ステップＳ３０１の判定結果をＮｏとする。この場合、ステップＳ３０４に進む。
【０１４４】
ステップＳ３０２は、楕円の長径の傾き角が所定範囲内であるか否かを判定する処理である。ＣＰＵ５９は、楕円の長径が延出する方向と、水平方向（ｘ方向）とがなす角度を求める。そして、求めた角度θが所定の範囲（−１０°＜θ＜１０°又は８０°＜θ＜１００°）を満足する場合、ＣＰＵ５９は、ステップＳ３０２の判定結果をＹｅｓとする。この場合、ステップＳ３０３に進む。一方、求めた角度θが所定の範囲外となる場合、ＣＰＵ５９は、ステップＳ３０２の判定結果をＮｏとする。この場合、ステップＳ３０４に進む。
【０１４５】
ステップＳ３０３は、ユーザが意図的ではなく楕円形状の軌跡としたと判断し、その楕円形状の軌跡に内接または外接する矩形領域を撮影領域と設定し、設定された撮影領域を、ＡＥ処理、ＡＦ処理及びＡＷＢ処理を行う領域として設定する処理である。このステップＳ３０３の処理は、ＣＰＵ５９によって実行される。この処理が終了すると、ステップＳ３１１に進む。
【０１４６】
一方、上述したステップＳ３０１の判定処理の結果や、ステップＳ３０２の判定処理の結果がＮｏとなる場合には、ステップＳ３０４に進む。
【０１４７】
ステップＳ３０４は、ユーザが意図的に楕円形状の軌跡としたと判断し、楕円形状の移動軌跡内の領域をＡＥ処理、ＡＦ処理及びＡＷＢ処理を行う領域に設定する処理である。このステップＳ３０４の処理は、ＣＰＵ５９によって実行される。この処理が終了すると、ステップＳ３０５に進む。
【０１４８】
ステップＳ３０５は、顔認識処理を行う処理である。ＣＰＵ５９は、撮像ユニット５１にて得られたスルー画像データを用いて顔認識処理を行う。
【０１４９】
ステップＳ３０６は、楕円の短径を直径とする真円の領域内に顔領域があるか否かを判定する処理である。ＣＰＵ５９は、ステップＳ３０５における顔認識処理の結果を用いて、電子ペン４０による入力操作の移動軌跡から得られる楕円の短径を直径とする真円の領域内に、認識された顔領域が含まれるか否かを判定する。楕円の短径を直径とする真円の領域内に、認識された顔領域が含まれる場合、ＣＰＵ５９は、ステップＳ３０６の判定結果をＹｅｓとする。この場合、ステップＳ３０７に進む。一方、認識された顔領域が楕円の短径を直径とする真円の領域内からはみ出る場合または認識された顔領域が楕円の短径を直径とする真円の領域に含まれない場合、ＣＰＵ５９は、ステップＳ３０６の判定結果をＮｏとする。この場合、ステップＳ３０８に進む。
【０１５０】
ステップＳ３０７は、楕円の短径を直径とする真円に内接又は外接する矩形の領域を撮影領域に設定する処理である。ＣＰＵ５９は、楕円の短径を直径とする真円に内接する矩形の領域に顔領域が含まれる場合に、該矩形の領域を撮影領域として設定する。一方、楕円の短径を直径とする真円に内接する矩形の領域に顔領域が含まれない場合には、楕円の短径を直径とする真円に外接する矩形の領域を撮影領域として設定する。
【０１５１】
上述したステップＳ３０６の判定処理の結果がＮｏとなる場合、ステップＳ３０８に進む。
【０１５２】
ステップＳ３０８は、楕円の長径を直径とする真円の領域内に顔領域があるか否かを判定する処理である。認識された顔領域が楕円の長径を直径とする真円の領域内に含まれる場合、ＣＰＵ５９は、ステップＳ３０８の判定結果をＹｅｓとする。この場合、ステップＳ３０９に進む。一方、認識された顔領域が楕円の長径を直径とする真円の領域内からはみ出る場合または認識された顔領域が楕円の長径を直径とする真円の領域に含まれない場合、ＣＰＵ５９は、ステップＳ３０８の判定結果をＮｏとする。この場合、ステップＳ３１０に進む。
【０１５３】
ステップＳ３０９は、楕円の長径を直径とする真円に内接又は外接する矩形の領域を撮影領域に設定する処理である。ＣＰＵ５９は、楕円の長径を直径とする真円に内接する矩形の領域に顔領域が含まれる場合に、該矩形の領域を撮影領域として設定する。一方、楕円の長径を直径とする真円に内接する矩形の領域に顔領域が含まれない場合には、楕円の長径を直径とする真円に外接する矩形の領域を撮影領域として設定する。
【０１５４】
上述したステップＳ３０８における判定処理の結果がＮｏとなる場合、ステップＳ３１０に進む。
【０１５５】
ステップＳ３１０は、楕円の領域と中心が同一位置で、且つ楕円の領域と同一の面積となる真円に内接又は外接する矩形の領域を撮影領域に設定する処理である。ＣＰＵ５９は、移動軌跡に基づく楕円の領域と、同一の面積となる真円の領域を求める。そして、この真円に内接する矩形の領域に顔領域が含まれる場合に、該矩形の領域を撮影領域として設定する。一方、真円に内接する矩形の領域に顔領域が含まれない場合には、真円に外接する矩形の領域を撮影領域として設定する。
【０１５６】
上述したステップＳ３０３、ステップＳ３０７、ステップＳ３０９及びステップＳ３１０の処理が実行され、撮影領域が設定されると、ステップＳ３１１に進む。
【０１５７】
ステップＳ３１１は、撮像処理である。ＣＰＵ５９は、上述したステップＳ３０３、ステップＳ３０７、ステップＳ３０９及びステップＳ３１０のいずれかの処理にて設定された撮影領域を用いて、ＡＥ処理、ＡＦ処理、ＡＷＢ処理を行う。これら処理の後、ＣＰＵ５９は撮像処理を実行する。これにより、設定された撮影領域に基づく画像データが取得される。
【０１５８】
このように、ユーザ自身が意図して入力操作の移動軌跡を楕円形状としたと判断した場合には、その移動軌跡に含まれる領域を用いた、ＡＥ処理、ＡＦ処理及びＡＷＢ処理が行われ、撮像処理が実行される。一方、ユーザ自身が意図せずに入力操作の移動軌跡を楕円形状としたと判断した場合には、予め設定された撮影領域を用いたＡＥ処理、ＡＦ処理及びＡＷＢ処理が行われ、撮像処理が実行される。このように、ユーザによる電子ペン４０の入力操作の移動軌跡によって、ＡＥ処理、ＡＦ処理及びＡＷＢ処理を行う領域を変更することができるので、ユーザの意図する処理を行うことができ、また、ユーザの意図に沿った画像データを取得することが可能となる。
【０１５９】
ここで、ステップＳ３０１及びステップＳ３０２の判定結果がそれぞれＹｅｓとなる場合、撮影領域においてＡＥ処理、ＡＦ処理及びＡＷＢ処理を行う領域としている。しかしながら、これらステップの判定結果がそれぞれＹｅｓとなる場合であっても、ステップＳ３０５からステップＳ３１０の処理と同一の処理を行うことも可能である。この場合、撮影領域として、予め設定した領域を用いるか、ステップＳ３０５からステップＳ３１０の処理の結果に基づいた領域を用いるかを、ユーザによる操作部（タッチパネルなど）の操作により選択させることも可能である。
【０１６０】
本実施形態では、電子ペン４０における入力操作に基づいて撮影範囲を設定する場合について説明しているが、例えば抵抗膜方式のタッチパネル７１を第１表示部２５に用いた場合には、以下の操作によって撮像範囲を設定することも可能である。例えばユーザが親指と人差し指などの２本の指をあわせた状態で第１表示部２５に当接させた後、２本の指を互いに離れる方向に移動させる動作を行った場合、離れた２本の指と第１表示部２５との当接がそれぞれ解除された位置を結ぶ直線を対角線とした矩形の領域を撮像範囲とすることも可能である。
【０１６１】
また、この他に、離れた２本の指をそれぞれ第１表示部２５に当接させて、それぞれの指を所定方向に曲線移動させたときに得られる曲線の軌跡に基づいた矩形領域８５を撮像範囲としてもよい。
【０１６２】
本実施形態では、電子ペン４０の二次元移動に基づいて撮像範囲を設定し、設定された撮像範囲を用いて撮像処理を行う場合について説明しているが、これに限定される必要はなく、例えば、編集画面に表示される画像や、撮像処理を行った際に得られる画像に対してトリミング処理を実行する場合に、電子ペン４０を二次元移動させてトリミング範囲（切り出し範囲）を設定し、設定された範囲を画像から切り出すことも可能である。
【０１６３】
本実施形態では、第２表示部２８に用いるタッチパネル７３を抵抗膜方式のタッチパネルとしているが、第１表示部２５に用いるタッチパネル７１と同様に、電磁誘導方式のタッチパネルとすることで、装置本体１５の姿勢を変更しなくともよい。つまり、タッチパネル７１又はタッチパネル７３のいずれかのタッチパネルに対する電子ペン４０の入力操作時に、電子ペン４０の傾きを検知する。検知された電子ペン４０の傾きから電子ペン４０の姿勢を判別し、ユーザの利き手を特定する。そして、ユーザの利き手を特定した結果に基づいて、第１表示部２５及び第２表示部２８に表示される画面を切り替える。つまり、ユーザの利き手が右手であると特定された場合には、第１表示部２５に作業用画面を、第２表示部２８にライブラリ画面を配置する画面構成を変更せずに、そのまま表示する。
【０１６４】
一方、ユーザの利き手が左手であると特定された場合には、第１表示部２５に作業用画面、第２表示部２８にライブラリ画面をそれぞれ配置する画面構成から、第１表示部２５にライブラリ画面、第２表示部２８に作業用画面をそれぞれ配置する画面構成に切り替える。このようにユーザの利き手によって各表示部における画面構成を切り替えることで、ユーザの利き手による利便性を向上させることができる。
【０１６５】
本実施形態に例示した携帯型電子情報端末機では、留め具３０をスナップボタン形式の留め具としているが、留め具の種類は、これに限定される必要はなく、永久磁石により留め具の雌部材と雄部材とを嵌合させる、マグネット形式の留め具としてもよい。以下、本実施形態と同一箇所については同一の符号を付して説明する。
【０１６６】
図２４は、留め具９０をマグネット形式の留め具とした場合の一部断面図である。留め具９０は、スナップボタン形式の留め具と同様に、雌部材９１と雄部材９２とから構成される。これら雌部材９１と雄部材９２とは、例えば鉄などの強磁性の金属材からなる。
【０１６７】
図２４（ａ）に示すように、雌部材９１は、第１筐体２０の面２０ｂに設けられる。この雌部材９１は、第１筐体２０の面２０ｂに固定される基部９１ａと、基部９１ａから上方に突出する円筒状の突出部９１ｂとを備えている。基部８１ａの中心には開口９１ｃが設けられ、この開口９１ｃを介して撮像ユニット５１のレンズ面２６が露呈される。雄部材９２は、ベルト１６の自由端側に設けられる。雄部材９２は、ベルト１６に固定される基部９２ａと、基部９２ａから下方に突出する円柱部９２ｂとを備えている。なお、この円柱部９２ｂの内部に永久磁石が設けられる。
【０１６８】
この場合、図２４（ｂ）に示すように、雄部材９２の円柱部９２ｂを雌部材９１の突出部９１の内部に挿入させると、雄部材９２の円柱部９２ｂの内部に設けられた永久磁石の磁力により、雌部材９１の突出部９１ｂの先端が雄部材９２の基部９２ａに当接された状態で保持される。これにより、留め具９０の雌部材９１と雄部材９２とが嵌合される。
【０１６９】
なお、マグネット形式の留め具を用いる場合には、雌部材９１の突出部９１ｂの形状は円筒状に限定される必要はなく、例えばＵ字（馬蹄）形状など、適宜の形状から構成することが可能である。
【０１７０】
本実施形態では、第１筐体及び第２筐体のそれぞれに表示部を設けた携帯型電子情報端末機について説明しているが、これに限定される必要はなく、例えば第１筐体又は第２筐体のいずれか一方にのみ表示部を備えた携帯型電子情報端末機であってもよい。また、この他に、湾曲させることができる表示装置を用いた場合には、該表示装置を第１筐体、第２筐体に跨るように配置することも可能である。
【０１７１】
本実施形態では、携帯型情報端末機を例に挙げて説明しているが、これに限定される必要はなく、タッチパネルを表示部に備えたデジタルカメラやカメラ機能付きの携帯型電話機の他、ＰＣなどの画像処理装置に適用することが可能である。
【０１７２】
さらに、デジタルカメラとＰＣとから構成される撮像システムにおいて、本発明を適用することも可能である。この場合、デジタルカメラによって取得される画像信号を、ＰＣの表示部に表示させ、マウスなどのポインティングデバイスやＰＣの表示部に設けられたタッチパネルなどの操作により、撮像範囲を設定することで、本実施形態と同一の効果を得ることができる。
【０１７３】
また、この他に、携帯型電子情報端末機とデジタルカメラとからなる撮像システムにおいて本発明を用いることができる。この場合、図３に示す外部機器７４としてデジタルカメラが挙げられる。以下、デジタルカメラに対して符号７４を付して説明する。この携帯型電子情報端末機１０とデジタルカメラ７４との間で有線を用いた通信又は無線通信のいずれかを用いてデータ通信を行う。例えばデジタルカメラ７４を撮影モードに設定すると、デジタルカメラ７４によって一定時間間隔でスルー画像データが取得される。例えばデジタルカメラ７４と携帯型電子情報端末機１０との間でデータ通信が可能な状態であれば、デジタルカメラ７４の通信部７４ａは、携帯型電子情報端末機１０に対してスルー画像データを送信する。これを受けて、携帯型電子情報端末機１０の通信部６２は、スルー画像データを受信する。そして、ＣＰＵ５９は、表示制御回路５５に対して、受信したスルー画像データを用いた表示を行わせるよう指示する。これを受けて、表示制御回路５５は、受信したスルー画像データに基づく画像（スルー画像）を第１表示部２５の表示装置７０に表示させる。
【０１７４】
携帯型電子情報端末機１０にスルー画像が表示されることで、ユーザは電子ペン４０を用いて、本実施形態と同様の入力操作を行う。この入力操作に基づく座標信号がコントローラ５６からＣＰＵ５９に入力される。ＣＰＵ５９は、座標信号から得られる領域を撮影領域として設定する。そして、ＣＰＵ５９は、設定した撮影領域の位置を示す信号をデジタルカメラ７４に向けて送信する。この撮影領域の位置を示す信号を送信するのに合わせて、ＣＰＵ５９は、撮像処理を実行する旨の指示信号をデジタルカメラ７４に送信する。デジタルカメラ７４は、これら信号を受信することで、撮影領域を設定した後、撮像処理を実行する。これにより、画像データが取得される。
【０１７５】
また、この他に、携帯型電子情報端末機１０の第１表示部２５にスルー画像が表示されているときに、ユーザによる入力操作によって、スルー画像を拡大する処理や、スルー画像を縮小する入力操作を実行することが可能である。これら入力操作が実行された場合には、ＣＰＵ５９は、デジタルカメラ７４に対して、該入力操作に基づく信号をデジタルカメラ７４に送信する。この信号を受けて、ＣＰＵ５９は、デジタルカメラ７４における撮影倍率を変更するよう撮像光学系（図示せず）の各レンズの位置を調整する。なお、撮像光学系の各レンズの位置を調整することで撮影倍率を変更する光学ズーム処理の他に、取得されるスルー画像から必要となる画素のデータを変更して切り出し、切り出した画像データに対する画像サイズが意図する画像サイズとなるように解像度変換処理を実行する電子ズーム処理を行ってもよい。
【０１７６】
なお、本発明においては、タッチパネルに対する入力操作に基づいて撮影を行う携帯型電子情報端末機や撮像装置を例にしているが、これに限定される必要はなく、図１９や図２１のフローチャートの各ステップを実行させるための制御プログラムであってもよい。なお、この制御プログラムは、メモリカード、光学ディスク、磁気ディスクなどのコンピュータに装着可能で、かつコンピュータが読み取ることが可能な記憶媒体に記憶されていることが好ましい。
【図１】
2013073197.tif 000003
【図２】
2013073197.tif 000004
【図３】
2013073197.tif 000005
【図４】
2013073197.tif 000006
【図５】
2013073197.tif 000007
【図６】
2013073197.tif 000008
【図７】
2013073197.tif 000009
【図８】
2013073197.tif 000010
【図９】
2013073197.tif 000011
【図１０】
2013073197.tif 000012
【図１１】
2013073197.tif 000013
【図１２】
2013073197.tif 000014
【図１３】
2013073197.tif 000015
【図１４】
2013073197.tif 000016
【図１５】
2013073197.tif 000017
【図１６】
2013073197.tif 000018
【図１７】
2013073197.tif 000019
【図１８】
2013073197.tif 000020
【図１９】
2013073197.tif 000021
【図２０】
2013073197.tif 000022
【図２１】
2013073197.tif 000023
【図２２】
2013073197.tif 000024
【図２３】
2013073197.tif 000025
【図２４】
2013073197.tif 000026
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
画像を取得する撮像部と、
前記撮像部により取得された第１画像を表示領域に表示する表示部と、
前記表示領域に対する操作位置の移動を検知する移動検知部と、
前記操作位置の移動により前記表示領域の少なくとも一部の領域を所定領域として特定されたことに基づいて、前記撮像部を駆動させ前記所定領域に対応した第２画像を取得させる制御部と、
を備えたことを特徴とする撮像装置。
【請求項２】
請求項１に記載の撮像装置において、
前記制御部は、前記操作位置の移動終了により、前記所定領域を特定することを特徴とする撮像装置。
【請求項３】
請求項２に記載の撮像装置において、
前記操作位置の移動終了とは、前記移動検知部により前記操作位置の移動が検知されない場合、もしくは前記操作位置が同一位置で一定時間継続して前記移動検知部により検知される場合であることを特徴とする撮像装置。
【請求項４】
請求項１から請求項３のいずれか１項に記載の撮像装置において、
前記制御部は、前記操作位置の移動における開始位置と終了位置とを結ぶ直線を対角線とした矩形領域を前記所定領域として特定することを特徴とする撮像装置。
【請求項５】
請求項１から請求項４のいずれか１項に記載の撮像装置において、
前記制御部は、前記操作位置の移動における開始位置と終了位置を結ぶ曲線軌跡に内接される、又は該曲線軌跡に外接される矩形領域のいずれか一方を前記所定領域として特定することを特徴とする撮像装置。
【請求項６】
請求項１から請求項５のいずれか１項に記載の撮像装置において、
前記操作位置の移動に基づいて、前記所定領域に対する画像処理時に用いる処理条件、又は前記撮像部における撮像条件を決定する条件決定部を、さらに備えることを特徴とする撮像装置。
【請求項７】
請求項１から請求項６のいずれか１項に記載の撮像装置において、
前記表示部は、前記第２画像を表示することが可能であり、
前記表示部により前記第２画像を表示したときに、前記移動検知部により検知される前記入力操作の前記表示面上の移動に基づいて第２の所定領域を特定する所定領域特定部と、
をさらに備えることを特徴とする撮像装置。
【請求項８】
画像を取得する撮像工程と、
前記撮像工程により取得された第１画像を表示領域に表示する表示工程と、
前記表示領域に対する操作位置の移動を検知する移動検知工程と、
前記操作位置の移動に基づいて、前記表示領域の少なくとも一部の領域を所定領域として特定し、前記所定領域に対応した第２画像を前記撮像工程により取得させる制御工程と、
をコンピュータに実行させることが可能な撮像制御プログラム。
【手続補正３】
【補正対象書類名】明細書
【補正対象項目名】０００１
【補正方法】変更
【補正の内容】
【０００１】
本発明は、撮像装置及び撮像制御プログラムに関する。
【手続補正４】
【補正対象書類名】明細書
【補正対象項目名】０００２
【補正方法】変更
【補正の内容】
【０００２】
一般に、デジタルカメラに代表される撮像装置や、カメラ機能を備えた携帯型電子情報端末機などにおいては、タッチパネルやタッチスクリーンなどの位置入力装置を備えた表示部を備えている。このような撮像装置の中には、例えばユーザの指が触れた位置にシャッタスイッチを移動させるものや、タッチパネルに当接するユーザの指の移動にあわせてシャッタスイッチの位置を移動させるものが提案されている（特許文献１参照）。これらの場合、ユーザはシャッタスイッチの位置を確認せずに表示部に触れるだけで撮影ができ、シャッタチャンスを逃さずに済む。
【手続補正５】
【補正対象書類名】明細書
【補正対象項目名】０００３
【補正方法】変更
【補正の内容】
【０００３】
【特許文献１】特開平１１−２１２７２６号公報
【手続補正６】
【補正対象書類名】明細書
【補正対象項目名】０００４
【補正方法】変更
【補正の内容】
【０００４】
しかしながら、ユーザの指が当接した位置にシャッタスイッチを移動させる、又は指の移動にあわせてシャッタスイッチを移動させる場合、ユーザの指が誤って表示部に触れた場合でも撮影が実行されるという誤動作が生じる恐れがあるという問題がある。また、特定の範囲を撮像範囲としたい場合には、ズーム倍率を変更する操作を行った後、シャッタスイッチ（ボタン）を操作する２段階の操作を必要とすることから、これら２段階の操作を実行している間にシャッタチャンスを逃してしまうという問題もある。
【手続補正７】
【補正対象書類名】明細書
【補正対象項目名】０００５
【補正方法】変更
【補正の内容】
【０００５】
本発明は、ユーザの誤操作を防止し、且つシャッタチャンスを逃すことなくユーザの意図する範囲の画像を取得することを目的とする。
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】削除
【補正の内容】
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】削除
【補正の内容】
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】変更
【補正の内容】
【００１３】
本発明の撮像装置は、画像を取得する撮像部と、前記撮像部により取得された第１画像を表示領域に表示する表示部と、前記表示領域に対する操作位置の移動を検知する移動検知部と、前記操作位置の移動により、前記表示領域の少なくとも一部の領域を所定領域として特定されたことに基づいて、前記撮像部を駆動させ前記所定領域に対応した第２画像を取得させる制御部と、を備えたことを特徴とする。
【手続補正１６】
【補正対象書類名】明細書
【補正対象項目名】００１４
【補正方法】変更
【補正の内容】
【００１４】
また、前記制御部は、前記操作位置の移動終了により、前記所定領域を特定するものである。
【手続補正１７】
【補正対象書類名】明細書
【補正対象項目名】００１５
【補正方法】変更
【補正の内容】
【００１５】
この場合、前記操作位置の移動終了とは、前記移動検知部により前記操作位置の移動が検知されない場合、もしくは前記操作位置が同一位置で一定時間継続して前記移動検知部により検知される場合であることが好ましい。
【手続補正１８】
【補正対象書類名】明細書
【補正対象項目名】００１６
【補正方法】変更
【補正の内容】
【００１６】
また、前記制御部は、前記操作位置の移動における開始位置と終了位置とを結ぶ直線を対角線とした矩形領域を前記所定領域として特定するものである。
【手続補正１９】
【補正対象書類名】明細書
【補正対象項目名】００１７
【補正方法】変更
【補正の内容】
【００１７】
また、前記制御部は、前記操作位置の移動における開始位置と終了位置を結ぶ曲線軌跡に内接される、又は該曲線軌跡に外接される矩形領域のいずれか一方を前記所定領域として特定するものである。
【手続補正２０】
【補正対象書類名】明細書
【補正対象項目名】００１８
【補正方法】変更
【補正の内容】
【００１８】
また、前記操作位置の移動に基づいて、前記所定領域に対する画像処理時に用いる処理条件、又は前記撮像部における撮像条件を決定する条件決定部を、さらに備えるものである。
【手続補正２１】
【補正対象書類名】明細書
【補正対象項目名】００１９
【補正方法】変更
【補正の内容】
【００１９】
また、前記表示部は、前記第２画像を表示することが可能であり、前記表示部により前記第２画像を表示したときに、前記移動検知部により検知される前記入力操作の前記表示面上の移動に基づいて第２の所定領域を特定する所定領域特定部と、をさらに備えるものである。
【手続補正２２】
【補正対象書類名】明細書
【補正対象項目名】００２０
【補正方法】変更
【補正の内容】
【００２０】
また、本発明の撮像制御プログラムは、画像を取得する撮像工程と、前記撮像工程により取得された第１画像を表示領域に表示する表示工程と、前記表示領域に対する操作位置の移動を検知する移動検知工程と、前記操作位置の移動に基づいて、前記表示領域の少なくとも一部の領域を所定領域として特定し、前記所定領域に対応した第２画像を前記撮像工程により取得させる制御工程と、をコンピュータに実行させることが可能なものである。
【手続補正２３】
【補正対象書類名】明細書
【補正対象項目名】００２１
【補正方法】削除
【補正の内容】
【国際調査報告】
2013073197.tif 000027
2013073197.tif 000028
2013073197.tif 000029
2013073197.tif 000030
2013073197.tif 000031
2013073197.tif 000032
2013073197.tif 000033
2013073197.tif 000034